(57)【要約】本発明の実施形態はリソースマッピング方法を開示する。周波数領域および時間領域中の基準信号の密度が、サブキャリア離間構成パラメータなどの情報に基づいて判定され得、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。本方法は、送信端部によって、サブキャリア離間構成パラメータ情報、現在の動作周波数情報、現在サポートされる移動速度、およびスケジュールされた帯域幅情報のうちの少なくとも１つを取得するステップと、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間周波数リソースロケーションを判定するステップと、送信端部によって、時間周波数リソースロケーションにおいて基準信号をマッピングするステップとを含む。
2020502839.tif 000002
【特許請求の範囲】
【請求項１】
送信端部によって、サブキャリア離間構成パラメータ情報、現在の動作周波数情報、現在サポートされる移動速度、およびスケジュールされた帯域幅情報のうちの少なくとも１つを取得するステップと、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定するステップと、
前記送信端部によって、前記時間周波数リソースロケーションにおいて前記基準信号をマッピングするステップと
を備える、リソースマッピング方法。
【請求項２】
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号の間隔を判定するステップと、
前記基準信号の前記間隔に基づいて前記送信端部によって、前記基準信号をマッピングするための前記時間周波数リソースロケーションを判定するステップと
を備える請求項１に記載の方法。
【請求項３】
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記基準信号をマッピングするための前記時間周波数リソースロケーションを判定するステップ
を備える請求項１に記載の方法。
【請求項４】
前記基準信号をマッピングするための前記時間周波数リソースロケーションは（ｋ，ｌ）によって表され、ｋは前記基準信号のサブキャリア番号であり、ｌは前記基準信号の直交周波数分割多重化ＯＦＤＭシンボル番号であり、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記サブキャリア番号ｋを判定するステップであって、前記ＯＦＤＭシンボル番号ｌは第１のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記ＯＦＤＭシンボル番号ｌを判定するステップであって、前記サブキャリア番号ｋは第２のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記サブキャリア番号ｋおよび前記ＯＦＤＭシンボル番号ｌを判定するステップ
を備える請求項１乃至３のいずれか一項に記載の方法。
【請求項５】
前記方法は、
前記送信端部が基地局を備える場合、前記送信端部によって前記受信端部に基準信号ロケーション構成情報を送るステップ、または
前記送信端部がユーザ機器を備える場合、前記送信端部によって基準信号ロケーション構成情報を受信し、前記基準信号ロケーション構成情報に基づいて、前記基準信号をマッピングするための前記時間周波数リソースロケーションを判定するステップ
をさらに備える請求項１乃至４のいずれか一項に記載の方法。
【請求項６】
受信端部によって、サブキャリア離間構成パラメータ情報、現在の動作周波数情報、現在サポートされる移動速度、およびスケジュールされた帯域幅情報のうちの少なくとも１つを取得するステップと、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定するステップと、
前記時間周波数リソースロケーションにおいて前記受信端部によって、送信端部によって送られた前記基準信号を受信するステップと
を備える、リソースマッピング方法。
【請求項７】
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号の間隔を判定するステップと、
前記基準信号の前記間隔に基づいて前記受信端部によって、前記基準信号を受信するための前記時間周波数リソースロケーションを判定するステップと
を備える請求項６に記載の方法。
【請求項８】
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記基準信号を受信するための前記時間周波数リソースロケーションを判定するステップ
を備える請求項６に記載の方法。
【請求項９】
前記基準信号を受信するための前記時間周波数リソースロケーションは（ｋ，ｌ）によって表され、ｋは前記基準信号のサブキャリア番号であり、ｌは前記基準信号のＯＦＤＭシンボル番号であり、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記サブキャリア番号ｋを判定するステップであって、前記ＯＦＤＭシンボル番号ｌは第１のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記ＯＦＤＭシンボル番号ｌを判定するステップであって、前記サブキャリア番号ｋは第２のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記サブキャリア番号ｋおよび前記ＯＦＤＭシンボル番号ｌを判定するステップ
を備える請求項６乃至８のいずれか一項に記載の方法。
【請求項１０】
前記方法は、
前記受信端部が基地局を備える場合、前記受信端部によって前記送信端部に基準信号ロケーション構成情報を送るステップであって、前記基準信号ロケーション構成情報は、前記基準信号をマッピングするための前記時間周波数リソースロケーションを判定するために前記送信端部によって使用される、ステップ、または
前記受信端部がユーザ機器を備える場合、前記送信端部によって送られた基準信号ロケーション構成情報を前記受信端部によって受信し、前記基準信号ロケーション構成情報に基づいて、前記基準信号を受信するための前記時間周波数リソースロケーションを判定するステップ
をさらに備える請求項６乃至９のいずれか一項に記載の方法。
【請求項１１】
サブキャリア離間構成パラメータ情報、現在の動作周波数情報、現在サポートされる移動速度、およびスケジュールされた帯域幅情報のうちの少なくとも１つを取得するように構成された、取得モジュールと、
前記サブキャリア離間構成パラメータ情報、前記現在の動作周波数情報、前記現在サポートされる移動速度、および前記スケジュールされた帯域幅情報のうちの前記少なくとも１つに基づいて、基準信号をマッピングするための時間周波数リソースロケーションを判定するように構成された、判定モジュールと、
前記時間周波数リソースロケーションにおいて前記基準信号をマッピングするように構成された、マッピングモジュールと
を備える、送信端部。
【請求項１２】
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、基準信号の間隔を判定し、前記基準信号の前記間隔に基づいて、前記基準信号をマッピングするための前記時間周波数リソースロケーションを判定するように特に構成された
請求項１１に記載の送信端部。
【請求項１３】
前記判定モジュールは、プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて、前記基準信号をマッピングするための前記時間周波数リソースロケーションを判定するように特に構成された
請求項１１に記載の送信端部。
【請求項１４】
前記基準信号をマッピングするための前記時間周波数リソースロケーションは（ｋ，ｌ）によって表され、ｋは前記基準信号のサブキャリア番号であり、ｌは前記基準信号の直交周波数分割多重化ＯＦＤＭシンボル番号であり、
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記サブキャリア番号ｋを判定するように特に構成され、前記ＯＦＤＭシンボル番号ｌは第１のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記ＯＦＤＭシンボル番号ｌを判定するように特に構成され、前記サブキャリア番号ｋは第２のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記サブキャリア番号ｋおよび前記ＯＦＤＭシンボル番号ｌを判定するように特に構成された
請求項１１乃至１３のいずれか一項に記載の送信端部。
【請求項１５】
前記送信モジュールは、前記送信端部が基地局を備える場合、前記送信モジュールによって前記受信端部に基準信号ロケーション構成情報を送るように構成されるか、または
前記取得モジュールは、前記送信端部がユーザ機器を備える場合、前記取得モジュールによって基準信号ロケーション構成情報を受信し、前記基準信号ロケーション構成情報に基づいて、前記基準信号をマッピングするための前記時間周波数リソースロケーションを判定するように構成された
請求項１１乃至１４のいずれか一項に記載の送信端部。
【請求項１６】
サブキャリア離間構成パラメータ情報、現在の動作周波数情報、現在サポートされる移動速度、およびスケジュールされた帯域幅情報のうちの少なくとも１つを取得するように構成された、取得モジュールと、
前記サブキャリア離間構成パラメータ情報、前記現在の動作周波数情報、前記現在サポートされる移動速度、および前記スケジュールされた帯域幅情報のうちの前記少なくとも１つに基づいて、基準信号を受信するための時間周波数リソースロケーションを判定するように構成された、判定モジュールと、
前記時間周波数リソースロケーションにおいて、送信端部によって送られた前記基準信号を受信するように構成された、受信モジュールと
を備える、受信端部。
【請求項１７】
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、基準信号の間隔を判定し、前記基準信号の前記間隔に基づいて、前記基準信号を受信するための前記時間周波数リソースロケーションを判定するように特に構成された
請求項１６に記載の受信端部。
【請求項１８】
前記判定モジュールは、プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて、前記基準信号を受信するための前記時間周波数リソースロケーションを判定するように特に構成された
請求項１６に記載の受信端部。
【請求項１９】
前記基準信号を受信するための前記時間周波数リソースロケーションは（ｋ，ｌ）によって表され、ｋは前記基準信号のサブキャリア番号であり、ｌは前記基準信号のＯＦＤＭシンボル番号であり、
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記サブキャリア番号ｋを判定するように特に構成され、前記ＯＦＤＭシンボル番号ｌは第１のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記ＯＦＤＭシンボル番号ｌを判定するように特に構成され、前記サブキャリア番号ｋは第２のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記サブキャリア番号ｋおよび前記ＯＦＤＭシンボル番号ｌを判定するように特に構成された
請求項１６乃至１８のいずれか一項に記載の受信端部。
【請求項２０】
前記受信端部は、
前記送信モジュールは、前記受信端部が基地局を備える場合、前記送信モジュールによって前記送信端部に基準信号ロケーション構成情報を送るように構成され、前記基準信号ロケーション構成情報は、前記基準信号をマッピングするための前記時間周波数リソースロケーションを判定するために前記送信端部によって使用されるか、または
前記取得モジュールは、前記受信端部がユーザ機器を備える場合、前記送信端部によって送られた基準信号ロケーション構成情報を前記取得モジュールによって受信し、前記基準信号ロケーション構成情報に基づいて、前記基準信号を受信するための前記時間周波数リソースロケーションを判定するように構成された、
をさらに備える請求項１６乃至１９のいずれか一項に記載の受信端部。
【請求項２１】
トランシーバ、プロセッサ、メモリ、およびバスを備える、送信端部であって、前記トランシーバ、前記プロセッサ、および前記メモリは、前記バスを使用することによって接続され、
前記メモリは、演算命令を記憶するように構成され、
前記プロセッサは、サブキャリア離間構成パラメータ情報、現在の動作周波数情報、現在サポートされる移動速度、およびスケジュールされた帯域幅情報のうちの少なくとも１つを取得し、前記サブキャリア離間構成パラメータ情報、前記現在の動作周波数情報、前記現在サポートされる移動速度、および前記スケジュールされた帯域幅情報のうちの前記少なくとも１つに基づいて、基準信号をマッピングするための時間周波数リソースロケーションを判定するように構成され、
前記トランシーバは、前記時間周波数リソースロケーションにおいて前記基準信号をマッピングするように構成された、
送信端部。
【請求項２２】
トランシーバ、プロセッサ、メモリ、およびバスを備える、受信端部であって、前記トランシーバ、前記プロセッサ、および前記メモリは、前記バスを使用することによって接続され、
前記メモリは、演算命令を記憶するように構成され、
前記プロセッサは、サブキャリア離間構成パラメータ情報、現在の動作周波数情報、現在サポートされる移動速度、およびスケジュールされた帯域幅情報のうちの少なくとも１つを取得し、前記サブキャリア離間構成パラメータ情報、前記現在の動作周波数情報、前記現在サポートされる移動速度、および前記スケジュールされた帯域幅情報のうちの前記少なくとも１つに基づいて、基準信号を受信するための時間周波数リソースロケーションを判定するように構成され、かつ
前記トランシーバは、前記時間周波数リソースロケーションにおいて、送信端部によって送られた前記基準信号を受信するように構成された、
受信端部。
【発明の詳細な説明】
【技術分野】
【０００１】
本発明は、通信分野に関し、詳細にはリソースマッピング方法、送信端部、および受信端部に関する。
【背景技術】
【０００２】
将来の５Ｇシステムでは、（６ＧＨｚ未満の既存の周波数帯域、および６ＧＨｚからミリメートル波帯域１００ＧＨｚの周波数帯域を含む）フルバンドアクセスが実装される。６ＧＨｚを超える周波数帯域、特にミリメートル波帯域では、ハードウェアの非理想性が位相雑音につながり、位相雑音は、ＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ、直交周波数分割多重化）システムにおいてサブキャリア間干渉（ｉｎｔｅｒ−ｃａｒｒｉｅｒ  ｉｎｔｅｒｆｅｒｅｎｃｅ、ＩＣＩ）を引き起こし、システム通信品質の著しい劣化を引き起こす。ＩＣＩをなくすための最も実際的な手法は、サブキャリア離間を増加させることである。将来の５Ｇシステムでは、様々なサブキャリア離間構成が使用される。このようにして、システムが高周波数帯域において動作するときは、比較的大きいサブキャリア離間に対応するＯＦＤＭ構成パラメータが使用され、システムが低周波数帯域において動作するときは、比較的小さいサブキャリア離間に対応するＯＦＤＭ構成パラメータが使用される。
【０００３】
通信システムでは、受信機が信号を正しく復調することができることを保証するために、いくつかの基準信号およびデータが交互に送られる必要があり、それにより、受信機は、チャネル情報を正しく推定し、推定されたチャネル情報を使用することによって、チャネル上で受信されるデータへの影響を相殺し、受信機の受信効果を改善することができる。基準信号の挿入離間は、周波数領域におけるチャネルのコヒーレンス帯域幅に一致する必要があり、時間領域におけるチャネルのコヒーレンス時間に一致する必要がある。
【０００４】
将来の５Ｇシステムは、異なる周波数において動作し、異なるサブキャリア離間構成を使用する。高周波数および低周波数システムにおいて固定マッピング方法が依然として使用される場合、基準信号の密度は過大に低いかまたは高い。受信された基準信号に基づいてチャネル推定を通して取得される等価チャネルパラメータは十分に正確でない可能性が高い。
【発明の概要】
【０００５】
本発明の実施形態は、リソースマッピング方法、送信端部、および受信端部を提供する。送信端部は、サブキャリア離間構成パラメータなどの情報に基づいて周波数領域および時間領域中の基準信号の密度を判定し、したがって、システムが、異なる周波数において動作し、異なるサブキャリア離間を使用するとき、基準信号の密度は、対応するチャネルのコヒーレンス帯域幅およびコヒーレンス時間に依然として一致することが可能であり、基準信号マッピングまたは受信が実施され、それにより、通信システムのための受信要件および送信要件が満たされ得る。
【０００６】
将来の５Ｇシステムは、異なる周波数において動作し、異なるサブキャリア離間構成を使用し得る。高周波数および低周波数システムにおいて固定マッピング方法が使用される場合、基準信号の密度は過大に低いかまたは高い。本発明の実施形態は、この問題を解決するために使用される。本発明は、送信端部および受信端部を含む、通信システムに主に適用可能である。送信端部に関係するネットワーク要素は、基地局、ワイヤレスアクセスポイント、またはユーザ機器ＵＥを含み得る。受信端部に関係するネットワーク要素は、ユーザ機器、端末、移動局（ｍｏｂｉｌｅ  ｓｔａｔｉｏｎ、ＭＳ）、基地局などを含み得る。
【０００７】
本発明の実施形態の第１の態様は、リソースマッピング方法を提供する。本方法は、送信端部によって、スケジュールされた時間周波数リソースを判定するステップであって、スケジュールされた時間周波数リソースに関係し送信端部によって取得される情報は、限定はされないが、サブキャリア離間構成パラメータ情報、システムの現在の動作周波数情報、システムによって現在サポートされる移動速度、およびスケジュールされた帯域幅情報などの情報を含み得る、ステップと、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップと、送信端部によって、時間領域／周波数領域リソースロケーションにおいて基準信号をマッピングするステップと、送信端部によって受信端部に基準信号を送るステップとを含み得る。
【０００８】
本発明のこの実施形態では、ここで送信端部は、基準信号をマッピングするための時間領域／周波数領域リソースロケーションを判定し、時間領域／周波数領域リソースロケーションにおいて基準信号をマッピングし、送られるべき基準信号の密度を判定する。周波数領域および時間領域中の基準信号の密度は、サブキャリア離間構成パラメータを含む情報に基づいて判定され得る。周波数領域および時間領域中の基準信号の密度は可変であり、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【０００９】
本発明の実施形態の第１の態様に関して、本発明の実施形態の第１の態様の第１の実装では、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、送信端部によって、サブキャリア離間構成パラメータ情報、現在の動作周波数情報、現在サポートされる移動速度、およびスケジュールされた帯域幅情報のうちの少なくとも１つに基づいて基準信号の間隔を判定するステップと、基準信号の間隔に基づいて送信端部によって、基準信号をマッピングするための時間領域／周波数領域リソースロケーションを判定するステップとを含み得る。
【００１０】
本発明のこの実施形態では、送信端部は、サブキャリア離間構成パラメータ情報、現在の動作周波数情報、現在サポートされる移動速度、およびスケジュールされた帯域幅情報などの情報に基づいて基準信号の間隔を判定し得る。ここで、基準信号の間隔は基準信号の密度を表す。基準信号の間隔は、時間次元における間隔および周波数次元における間隔を含み得る。次いで、基準信号をマッピングするための時間領域／周波数領域リソースロケーションが、基準信号の判定された間隔に基づいて判定される。
【００１１】
本発明の実施形態の第１の態様に関して、本発明の実施形態の第１の態様の第２の実装では、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、プリセットルールに従って、ならびにサブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップを含み得る。ここでのプリセットルールは、送信端部と受信端部の両方によって事前に知られることを理解されたい。
【００１２】
本発明のこの実施形態では、プリセットルールに従って送信端部によって、基準信号を送るための時間領域／周波数領域リソースロケーションを判定するステップは、静的構成である。送信端部は、プリセットルールに従って、基準信号をマッピングするための時間領域／周波数領域リソースロケーションを構成し、受信端部も、プリセットルールに従って、基準信号を受信するための時間領域／周波数領域リソースロケーションを構成する。このプリセットルールは、送信端部と受信端部の両方によって事前に知られるルールである。したがって、これは、本発明の実施形態の任意選択の実装を提供する。
【００１３】
本発明の実施形態の第１の態様、または本発明の実施形態の第１の態様の第１および第２の実装のいずれか１つに関して、本発明の実施形態の第１の態様の第３の実装では、基準信号をマッピングするための時間領域／周波数領域リソースロケーションは（ｋ，ｌ）によって表され、ｋは基準信号のサブキャリア番号であり、ｌは基準信号の直交周波数分割多重化ＯＦＤＭシンボル番号であり、
サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、以下のいくつかの場合を含み得る。  
（１）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のサブキャリア番号ｋを判定するステップであって、ＯＦＤＭシンボル番号ｌは第１のプリセット値である、ステップ、または
（２）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のＯＦＤＭシンボル番号ｌを判定するステップであって、サブキャリア番号ｋは第２のプリセット値である、ステップ、または
（３）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のサブキャリア番号ｋおよびＯＦＤＭシンボル番号ｌを判定するステップ
【００１４】
本発明のこの実施形態では、時間領域／周波数領域リソースロケーションが（ｋ，ｌ）によって表され、ｋが基準信号のサブキャリア番号であり、ｌが基準信号の直交周波数分割多重化ＯＦＤＭシンボル番号である場合、送信端部は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定することを行うか、またはマッピングされるべき基準信号のサブキャリア番号ｋを判定することであって、ＯＦＤＭシンボル番号ｌが固定値である、ことを行うか、またはマッピングされるべき基準信号のＯＦＤＭシンボル番号ｌを判定することであって、サブキャリア番号ｋが固定値である、ことを行い得る。これは、基準信号をマッピングするための時間領域／周波数領域リソースロケーションを判定する実装をさらに特に提供する。
【００１５】
本発明の実施形態の第１の態様、または本発明の実施形態の第１の態様の第１および第２の実装のいずれか１つに関して、本発明の実施形態の第１の態様の第４の実装では、本方法は、送信端部が基地局を含む場合、送信端部によって受信端部に基準信号ロケーション構成情報を送るステップ、または送信端部がユーザ機器を含む場合、送信端部によって基準信号ロケーション構成情報を受信し、基準信号ロケーション構成情報に基づいて、基準信号をマッピングするための時間領域／周波数領域リソースロケーションを判定するステップをさらに含み得る。
【００１６】
本発明の実施形態の第２の態様は、リソースマッピング方法を提供する。本方法は、受信端部によって、スケジュールされた時間周波数リソースを判定するステップであって、スケジュールされた時間周波数リソースに関係し受信端部によって取得される情報は、限定はされないが、サブキャリア離間構成パラメータ情報、現在の動作周波数情報、現在サポートされる移動速度、およびスケジュールされた帯域幅情報などの情報を含む、ステップと、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップと、時間領域／周波数領域リソースロケーションにおいて受信端部によって、送信端部によって送られた基準信号を受信するステップとを含み得る。
【００１７】
本発明のこの実施形態では、ここで、受信端部によって、基準信号を受信するための時間領域／周波数領域リソースロケーションを判定するステップは、受信されるべき基準信号の密度を判定するステップを意味する。周波数領域および時間領域中の基準信号の密度は、サブキャリア離間構成パラメータを含む情報に基づいて判定され得る。周波数領域および時間領域中の基準信号の密度は可変であり、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【００１８】
本発明の実施形態の第２の態様に関して、本発明の実施形態の第２の態様の第１の実装では、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、受信端部によって、サブキャリア離間構成パラメータ情報、現在の動作周波数情報、現在サポートされる移動速度、およびスケジュールされた帯域幅情報のうちの少なくとも１つに基づいて基準信号の間隔を判定するステップと、基準信号の間隔に基づいて受信端部によって、基準信号を受信するための時間領域／周波数領域リソースロケーションを判定するステップとを含み得る。
【００１９】
本発明のこの実施形態では、受信端部は、サブキャリア離間構成パラメータ情報、現在の動作周波数情報、現在サポートされる移動速度、およびスケジュールされた帯域幅情報などの情報に基づいて基準信号の間隔を判定し得る。ここで、基準信号の間隔は基準信号の密度を表す。基準信号の間隔は、時間次元における間隔および周波数次元における間隔を含み得る。次いで、基準信号を受信するための時間領域／周波数領域リソースロケーションが、基準信号の判定された間隔に基づいて判定される。
【００２０】
本発明の実施形態の第２の態様に関して、本発明の実施形態の第２の態様の第２の実装では、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、プリセットルールに従って、ならびにサブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップを含む。ここでのプリセットルールは、送信端部と受信端部の両方によって事前に知られることを理解されたい。
【００２１】
本発明のこの実施形態では、プリセットルールに従って受信端部によって、基準信号を受信するための時間領域／周波数領域リソースロケーションを判定するステップは、静的構成である。受信端部は、プリセットルールに従って、基準信号を受信するための時間領域／周波数領域リソースロケーションを構成し、送信端部も、プリセットルールに従って、基準信号を送るための時間領域／周波数領域リソースロケーションを構成する。このプリセットルールは、送信端部と受信端部の両方によって事前に知られるルールである。したがって、これは、本発明の実施形態の任意選択の実装を提供する。
【００２２】
本発明の実施形態の第２の態様、または本発明の実施形態の第２の態様の第１および第２の実装のいずれか１つに関して、本発明の実施形態の第２の態様の第３の実装では、基準信号を受信するための時間領域／周波数領域リソースロケーションは（ｋ，ｌ）によって表され、ｋは基準信号のサブキャリア番号であり、ｌは基準信号のＯＦＤＭシンボル番号であり、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、以下のいくつかの場合を含み得る。  
（１）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のサブキャリア番号ｋを判定するステップであって、ＯＦＤＭシンボル番号ｌは第１のプリセット値である、ステップ、または
（２）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のＯＦＤＭシンボル番号ｌを判定するステップであって、サブキャリア番号ｋは第２のプリセット値である、ステップ、または
（３）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のサブキャリア番号ｋおよびＯＦＤＭシンボル番号ｌを判定するステップ
【００２３】
本発明のこの実施形態では、時間領域／周波数領域リソースロケーションが（ｋ，ｌ）によって表され、ｋが基準信号のサブキャリア番号であり、ｌが基準信号の直交周波数分割多重化ＯＦＤＭシンボル番号である場合、受信端部は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定することを行うか、または受信されるべき基準信号のサブキャリア番号ｋを判定することであって、ＯＦＤＭシンボル番号ｌが固定値である、ことを行うか、または受信されるべき基準信号のＯＦＤＭシンボル番号ｌを判定することであって、サブキャリア番号ｋが固定値である、ことを行い得る。これは、基準信号を受信するための時間領域／周波数領域リソースロケーションを判定する実装をさらに特に提供する。
【００２４】
本発明の実施形態の第２の態様、または本発明の実施形態の第２の態様の第１および第２の実装のいずれか１つに関して、本発明の実施形態の第２の態様の第４の実装では、本方法は、受信端部が基地局を含む場合、受信端部によって送信端部に基準信号ロケーション構成情報を送るステップであって、基準信号ロケーション構成情報は、基準信号をマッピングするための時間領域／周波数領域リソースロケーションを判定するために送信端部によって使用される、ステップ、受信端部がユーザ機器を含む場合の、送信端部によって送られた基準信号ロケーション構成情報を受信端部によって受信し、基準信号ロケーション構成情報に基づいて、基準信号を受信するための時間領域／周波数領域リソースロケーションを判定するステップをさらに含み得る。
【００２５】
本発明の実施形態の第３の態様は、第１の態様において提供される、基準信号をマッピングするための時間周波数リソースロケーションを判定することと、基準信号をマッピングすることとの対応する機能を有する送信端部を提供する。機能は、ハードウェアを使用することによって実装され得るか、または対応するソフトウェアを実行することによってハードウェアによって実装され得る。ハードウェアまたはソフトウェアは、機能に対応する１つまたは複数のモジュールを含む。
【００２６】
本発明の実施形態の第４の態様は、第２の態様において提供される、基準信号を受信するための時間周波数リソースロケーションを判定することと、基準信号を受信することとの対応する機能を有する受信端部を提供する。機能は、ハードウェアを使用することによって実装され得るか、または対応するソフトウェアを実行することによってハードウェアによって実装され得る。ハードウェアまたはソフトウェアは、機能に対応する１つまたは複数のモジュールを含む。
【００２７】
本発明の実施形態の第５の態様は、トランシーバ、プロセッサ、メモリ、およびバスを含み得る送信端部を提供し、トランシーバ、プロセッサ、およびメモリは、バスを使用することによって接続され、
メモリは、演算命令を記憶するように構成され、
プロセッサは、サブキャリア離間構成パラメータ情報、現在の動作周波数情報、現在サポートされる移動速度、およびスケジュールされた帯域幅情報のうちの少なくとも１つを取得し、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように構成され、
トランシーバは、時間周波数リソースロケーションにおいて基準信号をマッピングするように構成される。
【００２８】
本発明の実施形態の第６の態様は、トランシーバ、プロセッサ、メモリ、およびバスを含み得る受信端部を提供し、トランシーバ、プロセッサ、およびメモリは、バスを使用することによって接続され、
メモリは、演算命令を記憶するように構成され、
プロセッサは、サブキャリア離間構成パラメータ情報、現在の動作周波数情報、現在サポートされる移動速度、およびスケジュールされた帯域幅情報のうちの少なくとも１つを取得し、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定するように構成され、
トランシーバは、時間周波数リソースロケーションにおいて、送信端部によって送られた基準信号を受信するように構成される。
【００２９】
本発明の実施形態の第７の態様は、記憶媒体を提供する。本質的に本発明の技術的解決策、または従来技術に寄与する部分、または技術的解決策の全部もしくは一部は、ソフトウェア製品の形態で実装され得ることに留意されたい。コンピュータソフトウェア製品は記憶媒体に記憶される。記憶媒体は、上記のデバイスによる使用のためのコンピュータソフトウェア命令を記憶するように構成される。コンピュータソフトウェア製品は、第１の態様、第２の態様、第３の態様、または第４の態様における受信端部または送信端部のために設計されたプログラムを含む。
【００３０】
記憶媒体は、ＵＳＢフラッシュドライブ、リムーバブルハードディスク、読取り専用メモリ（ＲＯＭ、ｒｅａｄ−ｏｎｌｙ  ｍｅｍｏｒｙ）、ランダムアクセスメモリ（ＲＡＭ、ｒａｎｄｏｍ  ａｃｃｅｓｓ  ｍｅｍｏｒｙ）、磁気ディスク、または光ディスクなど、プログラムコードを記憶することができる任意の媒体を含む。
【００３１】
本発明の実施形態において提供される技術的解決策では、本発明の実施形態は以下の利点を有する。
【００３２】
本発明の実施形態では、送信端部は、サブキャリア離間構成パラメータ情報、現在の動作周波数情報、現在サポートされる移動速度、およびスケジュールされた帯域幅情報のうちの少なくとも１つを取得し、送信端部は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定し、送信端部は、時間周波数リソースロケーションにおいて基準信号をマッピングする。送信端部は、サブキャリア離間構成パラメータ情報に基づいて周波数領域および時間領域中の基準信号の密度を判定し、したがって、システムが、異なる周波数において動作し、異なるサブキャリア離間を使用するとき、基準信号の密度は、対応するチャネルのコヒーレンス帯域幅およびコヒーレンス時間に依然として一致することが可能であり、基準信号マッピングが実施され、それにより、通信システムのための受信要件および送信要件が満たされ得る。
【図面の簡単な説明】
【００３３】
【図１】本発明の一実施形態による基準信号挿入の一実施形態の概略図である。
【図２】本発明の一実施形態が適用されたシナリオの一実施形態の概略図である。
【図３】本発明の一実施形態によるリソースマッピング方法の一実施形態の概略図である。
【図４】本発明の一実施形態によるリソースマッピング方法の別の実施形態の概略図である。
【図５】本発明の一実施形態によるリソースマッピング方法の別の実施形態の概略図である。
【図６】本発明の一実施形態によるリソースマッピング方法の別の実施形態の概略図である。
【図７】本発明の一実施形態による送信端部の一実施形態の概略図である。
【図８】本発明の一実施形態による受信端部の一実施形態の概略図である。
【図９】本発明の一実施形態による基地局の一実施形態の概略図である。
【図１０】本発明の一実施形態によるユーザ機器の一実施形態の概略図である。
【発明を実施するための形態】
【００３４】
以下で、本発明の実施形態における添付の図面を参照しながら本発明の実施形態における技術的解決策について明らかに完全に説明する。明らかに、説明される実施形態は、本発明の実施形態のすべてではなく一部にすぎない。創造的な取組みなしに本発明の実施形態に基づいて当業者によって取得されるすべての他の実施形態は、本発明の保護範囲内に入る。
【００３５】
本発明の明細書、特許請求の範囲、および添付の図面では、「第１の（ｆｉｒｓｔ）」、「第２の（ｓｅｃｏｎｄ）」、「第３の（ｔｈｉｒｄ）」、「第４の（ｆｏｕｒｔｈ）」などの用語（存在する場合）は、同様の物体を区別するよう意図されているが、必ずしも特定の順序またはシーケンスを示さない。そのような方法で名付けられたデータは、本明細書において説明される本発明の実施形態が本明細書において例示または説明される順序以外の順序で実装され得るように、適切な状況では交換可能であることを理解されたい。その上、「含む（ｉｎｃｌｕｄｅ）」、「含んでいる（ｃｏｎｔａｉｎ）」および任意の他の変形の用語は、非排他的包含を網羅することを意味し、たとえば、ステップまたはユニットのリストを含む処理、方法、システム、製品、またはデバイスは、必ずしも明確にリストされたそれらのステップまたはユニットに限定されず、そのような処理、方法、製品、またはデバイスについて明確にリストされないかまたは固有でない他のステップまたはユニットを含み得る。
【００３６】
従来技術では、一例として既存のロングタームエボリューション（Ｌｏｎｇ  Ｔｅｒｍ  Ｅｖｏｌｕｔｉｏｎ、ＬＴＥ）システムを使用すると、ＬＴＥは、（３ＧＨｚ以下であり、事業者の周波数スペクトルが異なり得る）低周波数帯域において動作し、サブキャリア離間は１５ｋＨｚであり、各サブフレームは１４個のＯＦＤＭシンボルを含み、１つのサブフレームの持続時間は１ｍｓである。基準信号挿入が図１に示されている。基準信号Ｒ5は、１つのサブフレーム中で４つのＯＦＤＭシンボルの等しい間隔において配置される。具体的には、（ＬＴＥにおけるデータ部分について、各サブフレーム中の最初の３つのＯＦＤＭシンボルは制御チャネルを送信するために使用され、制御チャネルの受信は共通パイロット（ＣＲＳ、ｃｅｌｌ−ｒｅｆｅｒｅｎｃｅ ｓｉｇｎａｌ、セル固有基準信号）に基づき、基準信号は、時間に関して２つのＯＦＤＭシンボルの間隔において挿入され、基準信号は、周波数に関して３つのサブキャリアの間隔において挿入される。
【００３７】
ＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ、直交周波数分割多重化）を使用して広帯域チャネルをフラットフェージングサブチャネルに分割して、広帯域チャネル中で起こる周波数選択性フェージングに効果的に適応することができ、それにより、システムは極めて高いスペクトル効率を達成する。現在、ＯＦＤＭは通信システムにおいて最も一般的な多重化方式であり、将来の５Ｇシステムも、多重化方式としてＯＦＤＭまたはＯＦＤＭベースの改良された解決策を使用するであろう。将来の５Ｇシステムは、異なる周波数において動作し、異なるサブキャリア離間構成を使用し得る。高周波数および低周波数システムにおいて固定マッピング方法が使用される場合、基準信号の密度は過大に低いかまたは高い。たとえば、図１の方法は、高周波数と低周波数の両方のために使用される。低周波数システムでは、大きい問題はない。しかし、高周波数システムでは、比較的大きいサブキャリア離間が使用されるので、基準信号の間隔が大きくなる。高周波数システムでは、一例として１２０ｋＨｚのサブキャリア離間が使用される。この場合、基準信号の間隔は、周波数領域ではＬＴＥシステムの間隔の８倍ほど大きい。高周波数チャネルは、ある程度まで周波数選択性を依然として有し、結果的に、基準信号の分配が周波数領域では過大に疎になる。基準信号の間隔は、時間に関してＬＴＥシステムのそれの１／８にすぎない。高周波数システムは主に低速シナリオに適用され、高周波数システムによってサポートされる速度は、低周波数システムによってサポートされる速度よりもはるかに低く、時間に関して基準信号の過大に小さい間隔を生じる、と概して考えられる。
【００３８】
本発明の一実施形態が適用されたシナリオの図が図２に示されている。本発明は、送信端部および受信端部を含む、通信システムに主に適用可能である。図２は、本発明が適用されたシナリオの概略図にすぎないことを理解されたい。送信端部と受信端部との間の送信は、電波を使用することによって実施され得るか、または可視光、レーザー、赤外光、もしくは光ファイバーなどの伝送媒体を使用することによって実施され得る。送信端部に関係するネットワーク要素は、基地局、ワイヤレスアクセスポイント、またはユーザ機器ＵＥを含み得る。受信端部に関係するネットワーク要素は、ユーザ機器、端末、移動局（ｍｏｂｉｌｅ  ｓｔａｔｉｏｎ、ＭＳ）、基地局などを含み得る。好ましい実施態様では、送信端部は基地局であり、受信端部はユーザ機器であるか、または送信端部はユーザ機器であり、受信端部は基地局である。
【００３９】
本発明の技術的解決策では、基地局は、ＯＦＤＭサブキャリア離間構成パラメータ、および／または現在の動作周波数、および／または現在サポートされる移動速度などの判定された情報に基づいて、周波数領域および時間領域中の基準信号の間隔を判定し、その間隔に基づいて、現在のＵＥのためにスケジュールされた時間周波数リソース上で基準信号をマッピングする。ＵＥは、ＯＦＤＭサブキャリア離間構成パラメータ、および／または現在の動作周波数、および／または現在サポートされる移動速度などの情報に基づいて、周波数領域および時間領域中の基準信号の間隔を判定し、その間隔に基づいて、基地局によって指定された時間周波数リソース範囲内の対応する時間周波数リソース上で基準信号を受信する。従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。
【００４０】
以下で、実施形態を使用することによって本発明の技術的解決策についてさらに説明する。図３に示されているように、図３は、本発明の一実施形態によるリソースマッピング方法の一実施形態の概略図である。ＬＴＥ通信におけるアップリンク受信および送信処理、すなわち、送信端部がＵＥであり、受信端部が基地局であることが、ここでの説明のための一例として使用される。本方法は以下のステップを含む。
【００４１】
３０１．基地局が、ユーザ機器のためにスケジュールされた時間周波数リソースを判定する。
【００４２】
３０２．基地局がユーザ機器にアップリンクスケジューリングシグナリングを送り、アップリンクスケジューリングシグナリングは、スケジュールされた時間周波数リソースを含む。
【００４３】
このステップは、以下のようにステップａおよびステップｂを含み得る。
【００４４】
ａ．基地局がユーザ機器にアップリンクスケジューリングシグナリングを送り、アップリンクスケジューリングシグナリングは、スケジュールされた時間周波数リソースを含む。
【００４５】
ｂ．ユーザ機器が、基地局によって送られたアップリンクスケジューリングシグナリングを受信し、アップリンクスケジューリングシグナリングは、スケジュールされた時間周波数リソースを含む。
【００４６】
本発明のこの実施形態では、基地局は、ユーザ機器のためにスケジュールされた時間周波数リソースを判定し、基地局は、ユーザ機器にアップリンクスケジューリングシグナリングを送り、アップリンクスケジューリングシグナリングは、スケジュールされた時間周波数リソースを含み、ユーザ機器は、基地局によって送られたアップリンクスケジューリングシグナリングを受信し、アップリンクスケジューリングシグナリングは、スケジュールされた時間周波数リソースを含む。
【００４７】
３０３．ユーザ機器が、サブキャリア離間構成パラメータ情報、現在の動作周波数情報、現在サポートされる移動速度、およびスケジュールされた帯域幅情報のうちの少なくとも１つを取得する。
【００４８】
本発明のこの実施形態では、ユーザ機器は、基地局によって送られたアップリンクスケジューリングシグナリングを受信し、ユーザ機器は、スケジュールされた時間周波数リソースと、サブキャリア離間構成パラメータ情報、現在の動作周波数情報、現在サポートされる移動速度、およびスケジュールされた帯域幅情報のうちの少なくとも１つとを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【００４９】
３０４．ユーザ機器が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【００５０】
本発明のこの実施形態では、ユーザ機器は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。基準信号をマッピングするための時間周波数リソースロケーションを判定した後に、ユーザ機器は、時間周波数リソースロケーションにおいて基準信号をマッピングし、スケジュールされた時間周波数リソースの範囲内の別のリソース上でデータをマッピングする。
【００５１】
これは、特に以下を含み得る。
【００５２】
（１）ユーザ機器が、サブキャリア離間構成パラメータ情報、現在の動作周波数情報、現在サポートされる移動速度、およびスケジュールされた帯域幅情報のうちの少なくとも１つに基づいて、基準信号の間隔を判定し、ユーザ機器が、基準信号の間隔に基づいて、基準信号をマッピングするための時間周波数リソースロケーションを判定する。
【００５３】
（２）基準信号をマッピングするための時間周波数リソースロケーションは（ｋ，ｌ）によって表され、ｋは基準信号のサブキャリア番号であり、ｌは基準信号の直交周波数分割多重化ＯＦＤＭシンボル番号であり、
〔１〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定し、ＯＦＤＭシンボル番号ｌは第１のプリセット値であるか、または
〔２〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定し、サブキャリア番号ｋは第２のプリセット値であるか、または
〔３〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定する。
【００５４】
本発明のこの実施形態では、基準信号の間隔は、時間次元における間隔であり得るか、または周波数次元における間隔であり得る。以下で、時間次元における間隔および周波数次元における間隔について別々に説明する。
【００５５】
Ａ：時間次元における間隔は、サブフレーム、タイムスロット、またはさらにＯＦＤＭシンボルの単位であり得る。タイムスロットおよびサブフレームはいくつかのＯＦＤＭシンボルを含む。たとえば、ＬＴＥでは、１つのサブフレームは１４個のＯＦＤＭシンボルを含み、１つのタイムスロットは７つのＯＦＤＭシンボルを含み、すなわち、１つのサブフレームは２つのタイムスロットを含む。
【００５６】
たとえば、サブキャリア離間は１５×２nｋＨｚである。一例としてＯＦＤＭシンボルが使用された場合、間隔の値は、この場合、３×２n個のＯＦＤＭシンボルであり得る。一例としてサブフレームが使用された場合、間隔の値は、この場合、２n-2個のサブフレームであり得る。間隔中に含まれるサブフレームの量が１０進小数であるとき、それは、１つのサブフレームが、基準信号受信および送信のために複数のリソースを含むことを示すことに留意されたい。
【００５７】
加えて、基準信号の間隔の値は、代替として、サブキャリア離間、動作周波数、サポートされる移動速度、スケジュールされた帯域幅情報などに基づいてテーブルを照会することによって判定され得ることも理解されたい。ここで、テーブルは、表１に記載されているように、一例としてＯＦＤＭシンボルを使用することによって提供される。動作周波数が同じであるとき、実際の動作シナリオに応じて異なる移動速度が判定される。たとえば、３ｋｍ／ｈはダウンリンクアクセスに対応しており、１ｋｍ／ｈはバックホールリンクシナリオに対応している。
【００５８】
【表１】
2020502839.tif 000003
【００５９】
Ｂ：周波数次元における間隔は、サブキャリアまたはサブバンドの単位であり得る。サブバンドは、いくつかの連続するサブキャリアを含む。
【００６０】
さらに、以下で、本発明のこの実施形態では、基準信号に対応する時間周波数リソースロケーションが、どのように時間次元における取得された間隔または周波数次元における取得された間隔に基づいて取得されるかについて説明する。
【００６１】
（１）基準信号の間隔が、時間次元における間隔を含む。
【００６２】
〔１〕時間次元における間隔がＯＦＤＭシンボルの単位であり、サブキャリア離間構成パラメータ情報が、スケジュールされた時間周波数リソースのＯＦＤＭシンボル番号を含み、
時間領域において、間隔がＯＦＤＭシンボルの単位であるとき、ＯＦＤＭシンボル番号を判定するためにモジュロ方法が使用され得る。  
ｍｏｄ（ｎ，Ｎ）＝ａ（１）、ただし、
ｎは、スケジュールされた時間周波数リソースのＯＦＤＭシンボル番号であり、Ｎは、時間次元における上記の判定された間隔を表し、ａはプリセット値であり、値範囲は０≦ａ＜Ｎである。この場合、式（１）を満たすｎのすべての値は、マッピングされるべき基準信号の判定されるべきＯＦＤＭシンボル番号ｌである。
【００６３】
〔２〕時間次元における間隔がサブフレームの単位であるとき、サブキャリア離間構成パラメータ情報は、スケジュールされた時間周波数リソースのサブフレーム番号を含み、
式（１）が依然として使用されるが、ｎは、スケジュールされた時間周波数リソースのサブフレーム番号を表し、式（１）を満たすｎのすべての値が判定された後に、ｌがさらに判定される。  
ｌ＝｛（ｎ−１）×Ｌ＋ｌ1，（ｎ−１）×Ｌ＋ｌ2，…，（ｎ−１）×Ｌ＋ｌA｝  （２）、ただし、
Ｌは、各サブフレーム中に含まれるＯＦＤＭシンボルの量を表し、Ａは、基準信号が含まれる各サブフレーム中に、時間次元において含まれる基準信号の量を表し、ｌはここではセットであり、ｌ1、ｌ2、…、およびｌAは一連のプリセット値であることを理解されたい。
【００６４】
（２）基準信号の間隔が、周波数次元における間隔を含む。
【００６５】
〔１〕周波数次元における間隔はサブキャリアの単位であり、サブキャリア離間構成パラメータ情報は、スケジュールされた時間周波数リソースのサブキャリア番号を含み、
周波数領域において、周波数次元における間隔がサブキャリアの単位であるとき、サブキャリア番号を判定するために、式（１）に示されているモジュロ方法が使用され得る。
ｍｏｄ（ｍ，Ｍ）＝ｂ  （３）、ただし、
ｍは、スケジュールされた時間周波数リソースのサブキャリア番号であり、Ｍは、周波数次元における上記の判定された間隔を表し、ｂはプリセット値であり、値範囲は０≦ｂ＜Ｍである。この場合、式（３）を満たすｍのすべての値は、マッピングされるべき基準信号の判定されるべきサブキャリア番号ｋである。
【００６６】
〔２〕周波数次元における間隔がサブバンドの単位であるとき、サブキャリア離間構成パラメータ情報は、スケジュールされた時間周波数リソースのサブバンド番号を含み、
式（３）が依然として使用され得るが、ｍは、スケジュールされた時間周波数リソースのサブバンド番号を表し、式（３）を満たすｍのすべての値が判定された後に、ｋがさらに判定される。  
ｋ＝｛（ｍ−１）×Ｋ＋ｋ1，（ｍ−１）×Ｋ＋ｋ2，…，（ｍ−１）×Ｋ＋ｋB｝  （４）、ただし、
Ｋは、各サブバンド中に含まれるサブキャリアの量を表し、Ｂは、基準信号が含まれる各サブバンド中に、周波数次元において含まれる基準信号の量を表し、ｋはここではセットであり、ｋ1、ｋ2、…およびｋBは一連のプリセット値であることを理解されたい。
【００６７】
（３）ユーザ機器が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【００６８】
たとえば、従来技術では、ＬＴＥシステムにおけるサブキャリア離間は１５ｋＨｚであり、各サブフレームは１４個のＯＦＤＭシンボルを含み、１つのサブフレームの持続時間は１ｍｓである。基準信号は、１つのサブフレーム中で４つのＯＦＤＭシンボルの等しい間隔において配置される。この場合、５Ｇおよび６Ｇなどの通信システムでは、サブキャリア離間が１２０ｋＨｚである場合、１２０ｋＨｚは１５ｋＨｚの８倍ほど大きい。固定マッピング方法が使用された場合、基準信号の間隔は、周波数領域ではＬＴＥシステムの間隔の８倍ほど大きく、結果的に、基準信号の分配が周波数領域では過大に疎になる。基準信号の間隔は、時間に関してＬＴＥシステムのそれの１／８にすぎず、時間に関して基準信号の過大に小さい間隔を生じる。基準信号は、周波数に関して３つのサブキャリアの間隔において挿入され、基準信号は、時間に関して２つのＯＦＤＭシンボルの間隔において挿入される。詳細については、表１を参照されたい。
【００６９】
本発明のこの実施形態では、基準信号をマッピングするための時間周波数リソースロケーションは、プリセットルールを使用することによって（静的構成を使用することによって）判定され得る。サブキャリア離間が１２０ｋＨｚであるとき、基準信号は、周波数に関して３×８＝２４個のサブキャリアの間隔において挿入され、基準信号は、時間に関して２／８＝０．２５個のＯＦＤＭシンボルの間隔において挿入される。これが、基準信号をマッピングするための判定された時間周波数リソースロケーションである。
【００７０】
３０５．基地局が、サブキャリア離間構成パラメータ情報、現在の動作周波数情報、現在サポートされる移動速度、およびスケジュールされた帯域幅情報のうちの少なくとも１つを取得する。
【００７１】
本発明のこの実施形態では、基地局は、サブキャリア離間構成パラメータ情報、現在の動作周波数情報、現在サポートされる移動速度、およびスケジュールされた帯域幅情報のうちの少なくとも１つを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【００７２】
３０６．基地局が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００７３】
本発明のこの実施形態では、基地局は、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定し、そのロケーションにおいて基準信号を受信する。これは、特に以下を含み得る。
【００７４】
（１）基地局が、サブキャリア離間構成パラメータ情報、現在の動作周波数情報、現在サポートされる移動速度、およびスケジュールされた帯域幅情報のうちの少なくとも１つに基づいて、基準信号の間隔を判定し、基地局が、基準信号の間隔に基づいて、基準信号を受信するための時間周波数リソースロケーションを判定する。
【００７５】
（２）基準信号を受信するための時間周波数リソースロケーションは（ｋ，ｌ）によって表され、ｋは基準信号のサブキャリア番号であり、ｌは基準信号の直交周波数分割多重化ＯＦＤＭシンボル番号であり、
〔１〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定し、ＯＦＤＭシンボル番号ｌは第１のプリセット値（すなわち、ｌは固定値である）であるか、または
〔２〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定し、サブキャリア番号ｋは第２のプリセット値（すなわち、ｋは固定値である）であるか、または
〔３〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定する。
【００７６】
（３）基地局が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００７７】
基準信号を受信するための時間周波数リソースロケーションを判定するステップは、基準信号をマッピングするための時間周波数リソースロケーションを判定するステップと同様であることに留意されたい。詳細な処理については、ステップ３０４を参照されたい。詳細について、ここで再び説明されない。ユーザ機器によって、基準信号をマッピングするための時間周波数リソースロケーションを判定するステップ、および基地局によって、基準信号を受信するための時間周波数リソースロケーションを判定するステップの時間シーケンスは特に限定されない。
【００７８】
３０７．ユーザ機器が基地局に基準信号を送る。
【００７９】
本発明のこの実施形態では、このステップは、以下のようにステップｃおよびステップｄを含み得る。
【００８０】
ｃ．ユーザ機器が、時間周波数リソースロケーションにおいて基準信号をマッピングする。
【００８１】
本発明のこの実施形態では、ユーザ機器は、時間周波数リソースロケーションにおいて基準信号をマッピングし、スケジュールされた時間周波数リソースの範囲内の別のリソース上でデータをマッピングする。さらに、マッピングが完了した後に、ユーザ機器は、基地局に基準信号およびデータを送る。
【００８２】
ｄ．基地局が、時間周波数リソースロケーションにおいて、ユーザ機器によって送られた基準信号を受信する。
【００８３】
本発明のこの実施形態では、基地局は、基準信号を受信するための判定された時間周波数リソースロケーションにおいて、ユーザ機器によって送られた基準信号を受信し、スケジュールされた時間周波数リソースの範囲内の別のリソース上で送られたデータを受信する。
【００８４】
３０８．基地局が、受信された基準信号に基づいてチャネル推定を実施する。
【００８５】
本発明のこの実施形態では、基地局は、受信された基準信号に基づいてチャネル推定を実施し、推定されたチャネル状態情報に基づいてスケジュールされた時間周波数リソースの範囲内の別のリソース上でデータを受信し復調する。
【００８６】
本発明のこの実施形態では、従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。従来技術への改善は以下の通りである。従来技術では、フルバンドアクセスは考慮されず、システム設計において一意の固定の動作周波数があると仮定され、１つのタイプのサブキャリア離間が、動作周波数、ハードウェア性能、およびチャネルシナリオに基づいて選択される。そのような方式では、周波数領域および時間領域における基準信号の密度は固定である。本発明のこの実施形態では、アップリンクスケジューリング処理について説明される。周波数領域および時間領域中の基準信号の密度は可変であり、周波数領域および時間領域中の基準信号の密度は、サブキャリア離間構成パラメータを含む情報に基づいて判定され得、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【００８７】
図４に示されているように、図４は、本発明の一実施形態によるリソースマッピング方法の別の実施形態の概略図である。ＬＴＥ通信におけるアップリンク受信および送信処理、すなわち、送信端部がＵＥであり、受信端部が基地局であることが、ここでの説明のための一例として使用される。本方法は以下のステップを含む。
【００８８】
４０１．基地局が、ユーザ機器のためにスケジュールされた時間周波数リソースを判定する。
【００８９】
４０２．基地局がユーザ機器にアップリンクスケジューリングシグナリングを送り、アップリンクスケジューリングシグナリングは、スケジュールされた時間周波数リソースを含む。
【００９０】
４０３．基地局が、サブキャリア離間構成パラメータ情報、現在の動作周波数情報、現在サポートされる移動速度、およびスケジュールされた帯域幅情報のうちの少なくとも１つを取得する。
【００９１】
４０４．基地局が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００９２】
本発明のこの実施形態では、ステップ４０１および４０２はステップ３０１および３０２と同じであり、ステップ４０３および４０４はステップ３０５および３０６と同じである。詳細について、ここで再び説明されない。
【００９３】
４０５．基地局がユーザ機器に基準信号ロケーション構成情報を送る。
【００９４】
本発明のこの実施形態では、このステップは、以下のようにステップｅおよびステップｆを含み得る。
【００９５】
ｅ．基地局がユーザ機器に基準信号ロケーション構成情報を送る。
【００９６】
本発明のこの実施形態では、基地局は、最初に基準信号ロケーション構成情報を判定し、次いで、ユーザ機器に基準信号ロケーション構成情報を送る。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【００９７】
ｆ．ユーザ機器が基準信号ロケーション構成情報を受信する。
【００９８】
本発明のこの実施形態では、ユーザ機器は基準信号ロケーション構成情報を受信する。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【００９９】
４０６．ユーザ機器が、基準信号ロケーション構成情報に基づいて、基準信号をマッピングするための時間周波数リソースロケーションを判定する。
【０１００】
本発明のこの実施形態では、ユーザ機器は、基準信号ロケーション構成情報に基づいて、基準信号をマッピングするための時間周波数リソースロケーションを判定し、ユーザ機器は、時間周波数リソースロケーションにおいて基準信号をマッピングする。詳細な判定方法については、図３に示されている実施形態のステップ３０４中の式（１）から式（４）を参照されたい。詳細について、ここで再び説明されない。
【０１０１】
４０７．ユーザ機器が基地局に基準信号を送る。
【０１０２】
本発明のこの実施形態では、このステップは、以下のようにステップｇおよびステップｈを含み得る。
【０１０３】
ｇ．ユーザ機器が基地局に基準信号を送る。
【０１０４】
本発明のこの実施形態では、判定された時間周波数リソースロケーションにおいて基準信号をマッピングした後に、ユーザ機器は、時間周波数リソースロケーションにおいて基地局に基準信号を送り、スケジュールされた時間周波数リソースの範囲内の別のリソース上でデータを送る。
【０１０５】
ｈ．基地局が、基準信号を受信するための判定された時間周波数リソースロケーションにおいて、ユーザ機器によって送られた基準信号を受信する。
【０１０６】
本発明のこの実施形態では、基地局は、基準信号を受信するための判定された時間周波数リソースロケーションにおいて、ユーザ機器によって送られた基準信号を受信し、スケジュールされた時間周波数リソースの範囲内の別のリソース上で送られたデータを受信する。
【０１０７】
４０８．基地局が、受信された基準信号に基づいてチャネル推定を実施する。
【０１０８】
本発明のこの実施形態では、ステップ４０８は、図３に示されている実施形態のステップ３０８と同じである。詳細について、ここで再び説明されない。
【０１０９】
本発明のこの実施形態は、半静的または動的な構成が実施される実施形態である。基地局は、ユーザ機器に基準信号ロケーション構成情報を送る必要があり、ユーザ機器は、基準信号ロケーション構成情報に基づいて、基準信号をマッピングするための時間周波数リソースロケーションを判定し、基地局は、基準信号を受信するための時間周波数リソースロケーションが変化しないと判定する。
【０１１０】
図５に示されているように、図５は、本発明の一実施形態によるリソースマッピング方法の別の実施形態の概略図である。ＬＴＥ通信におけるダウンリンク受信および送信処理、すなわち、送信端部が基地局であり、受信端部がＵＥであることが、ここでの説明のための一例として使用される。本方法は以下のステップを含む。
【０１１１】
５０１．基地局が、ユーザ機器のためにスケジュールされた時間周波数リソースを判定する。
【０１１２】
５０２．基地局がユーザ機器にダウンリンクスケジューリングシグナリングを送り、ダウンリンクスケジューリングシグナリングは、スケジュールされた時間周波数リソースを含む。
【０１１３】
このステップは、以下のようにステップａおよびステップｂを含み得る。
【０１１４】
ａ．基地局がユーザ機器にダウンリンクスケジューリングシグナリングを送り、ダウンリンクスケジューリングシグナリングは、スケジュールされた時間周波数リソースを含む。
【０１１５】
ｂ．ユーザ機器が、基地局によって送られたダウンリンクスケジューリングシグナリングを受信し、ダウンリンクスケジューリングシグナリングは、スケジュールされた時間周波数リソースを含む。
【０１１６】
本発明のこの実施形態では、基地局は、最初に、ユーザ機器ＵＥのダウンリンクサービスによって使用されるべき時間周波数リソースを判定し、次いで、基地局は、基地局によってサービスされるＵＥのチャネル状態、サービス要求ステータス、現在のリソース使用などに基づいてスケジューリングを完了し、各ＵＥのための対応する送信アルゴリズム、および各ＵＥによって使用されるべき時間周波数リソースを判定する。基地局はユーザ機器にダウンリンクスケジューリングシグナリングを送り、ダウンリンクスケジューリングシグナリングは、スケジュールされた時間周波数リソースを含む。ＵＥは、基地局によって送られたダウンリンクスケジューリングシグナリングを受信し、ダウンリンクスケジューリングシグナリングは、スケジュールされた時間周波数リソースを含む。
【０１１７】
５０３．基地局が、サブキャリア離間構成パラメータ情報、現在の動作周波数情報、現在サポートされる移動速度、およびスケジュールされた帯域幅情報のうちの少なくとも１つを取得する。
【０１１８】
本発明のこの実施形態では、基地局は、ユーザ機器のためにスケジュールされた時間周波数リソースに基づいて、サブキャリア離間構成パラメータ情報、現在の動作周波数情報、現在サポートされる移動速度、およびスケジュールされた帯域幅情報のうちの少なくとも１つを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【０１１９】
５０４．基地局が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１２０】
本発明のこの実施形態では、基地局は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。基準信号をマッピングするための時間周波数リソースロケーションを判定した後に、基地局は、時間周波数リソースロケーションにおいて基準信号をマッピングし、スケジュールされた時間周波数リソースの範囲内の別のリソース上でデータをマッピングする。
【０１２１】
これは、特に以下を含み得る。
【０１２２】
（１）基地局が、サブキャリア離間構成パラメータ情報、現在の動作周波数情報、現在サポートされる移動速度、およびスケジュールされた帯域幅情報のうちの少なくとも１つに基づいて、基準信号の間隔を判定し、基地局が、基準信号の間隔に基づいて、基準信号をマッピングするための時間周波数リソースロケーションを判定する。
【０１２３】
（２）基準信号をマッピングするための時間周波数リソースロケーションは（ｋ，ｌ）によって表され、ｋは基準信号のサブキャリア番号であり、ｌは基準信号の直交周波数分割多重化ＯＦＤＭシンボル番号であり、
〔１〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定し、ＯＦＤＭシンボル番号ｌは第１のプリセット値（すなわち、ｌは固定値である）であるか、または
〔２〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定し、サブキャリア番号ｋは第２のプリセット値（すなわち、ｋは固定値である）であるか、または
〔３〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定する。
【０１２４】
本発明のこの実施形態では、基準信号の間隔は、時間次元における間隔であり得るか、または周波数次元における間隔であり得る。以下で、時間次元における間隔および周波数次元における間隔について別々に説明する。
【０１２５】
Ａ：時間次元における間隔は、サブフレーム、タイムスロット、またはさらにＯＦＤＭシンボルの単位であり得る。タイムスロットおよびサブフレームはいくつかのＯＦＤＭシンボルを含む。たとえば、ＬＴＥでは、１つのサブフレームは１４個のＯＦＤＭシンボルを含み、１つのタイムスロットは７つのＯＦＤＭシンボルを含み、すなわち、１つのサブフレームは２つのタイムスロットを含む。
【０１２６】
たとえば、サブキャリア離間は１５×２nｋＨｚである。一例としてＯＦＤＭシンボルが使用された場合、間隔の値は、この場合、３×２n個のＯＦＤＭシンボルであり得る。一例としてサブフレームが使用された場合、間隔の値は、この場合、２n-2個のサブフレームであり得る。間隔中に含まれるサブフレームの量が１０進小数であるとき、それは、１つのサブフレームが、基準信号受信および送信のために複数のリソースを含むことを示すことに留意されたい。
【０１２７】
加えて、基準信号の間隔の値は、代替として、サブキャリア離間、動作周波数、サポートされる移動速度、スケジュールされた帯域幅情報などに基づいてテーブルを照会することによって判定され得ることも理解されたい。ここで、テーブルは、表１に記載されているように、一例としてＯＦＤＭシンボルを使用することによって提供される。動作周波数が同じであるとき、実際の動作シナリオに応じて異なる移動速度が判定される。たとえば、３ｋｍ／ｈはダウンリンクアクセスに対応しており、１ｋｍ／ｈはバックホールリンクシナリオに対応している。
【０１２８】
Ｂ：周波数次元における間隔は、サブキャリアまたはサブバンドの単位であり得る。サブバンドはいくつかのサブキャリアを含む。
【０１２９】
さらに、以下で、本発明のこの実施形態では、基準信号に対応する時間周波数リソースロケーションが、どのように時間次元における取得された間隔または周波数次元における取得された間隔に基づいて取得されるかについて説明する。
【０１３０】
（１）基準信号の間隔が、時間次元における間隔を含む。
【０１３１】
〔１〕時間次元における間隔がＯＦＤＭシンボルの単位であり、サブキャリア離間構成パラメータ情報が、スケジュールされた時間周波数リソースのＯＦＤＭシンボル番号を含み、
時間領域において、間隔がＯＦＤＭシンボルの単位であるとき、ＯＦＤＭシンボル番号を判定するためにモジュロ方法が使用され得る。  
ｍｏｄ（ｎ，Ｎ）＝ａ  （１）、ただし、
ｎは、スケジュールされた時間周波数リソースのＯＦＤＭシンボル番号であり、Ｎは、時間次元における上記の判定された間隔を表し、ａはプリセット値であり、値範囲は０≦ａ＜Ｎである。この場合、式（１）を満たすｎのすべての値は、マッピングされるべき基準信号の判定されるべきＯＦＤＭシンボル番号ｌである。
【０１３２】
〔２〕時間次元における間隔がサブフレームの単位であるとき、サブキャリア離間構成パラメータ情報は、スケジュールされた時間周波数リソースのサブフレーム番号を含み、
式（１）が依然として使用されるが、ｎは、スケジュールされた時間周波数リソースのサブフレーム番号を表し、式（１）を満たすｎのすべての値が判定された後に、ｌがさらに判定される。  
ｌ＝｛（ｎ−１）×Ｌ＋ｌ1，（ｎ−１）×Ｌ＋ｌ2，…，（ｎ−１）×Ｌ＋ｌA｝  （２）、ただし、
Ｌは、各サブフレーム中に含まれるＯＦＤＭシンボルの量を表し、Ａは、基準信号を含む各サブフレーム中の、時間次元における含まれた基準信号の量を表し、ｌはここではセットであり、ｌ1、ｌ2、…、およびｌAは一連のプリセット値であることを理解されたい。
【０１３３】
（２）基準信号の間隔が、周波数次元における間隔を含む。
【０１３４】
〔１〕周波数次元における間隔はサブキャリアの単位であり、サブキャリア離間構成パラメータ情報は、スケジュールされた時間周波数リソースのサブキャリア番号を含み、
周波数領域において、周波数次元における間隔がサブキャリアの単位であるとき、サブキャリア番号を判定するために、式（１）に示されているモジュロ方法が使用され得る。
ｍｏｄ（ｍ，Ｍ）＝ｂ  （３）、ただし、
ｍは、スケジュールされた時間周波数リソースのサブキャリア番号であり、Ｍは、周波数次元における上記の判定された間隔を表し、ｂはプリセット値であり、値範囲は０≦ｂ＜Ｍである。この場合、式（３）を満たすｍのすべての値は、マッピングされるべき基準信号の判定されるべきサブキャリア番号ｋである。
【０１３５】
〔２〕周波数次元における間隔がサブバンドの単位であるとき、サブキャリア離間構成パラメータ情報は、スケジュールされた時間周波数リソースのサブバンド番号を含み、
式（３）が依然として使用され得るが、ｍは、スケジュールされた時間周波数リソースのサブバンド番号を表し、式（３）を満たすｍのすべての値が判定された後に、ｋがさらに判定される。  
ｋ＝｛（ｍ−１）×Ｋ＋ｋ1，（ｍ−１）×Ｋ＋ｋ2，…，（ｍ−１）×Ｋ＋ｋB｝  （４）、ただし、
Ｋは、各サブバンド中に含まれるサブキャリアの量を表し、Ｂは、基準信号が含まれる各サブバンド中に、周波数次元において含まれる基準信号の量を表し、ｋはここではセットであり、ｋ1、ｋ2、…およびｋBは一連のプリセット値であることを理解されたい。
【０１３６】
（３）基地局が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１３７】
たとえば、従来技術では、ＬＴＥシステムにおけるサブキャリア離間は１５ｋＨｚであり、各サブフレームは１４個のＯＦＤＭシンボルを含み、１つのサブフレームの持続時間は１ｍｓである。基準信号は、１つのサブフレーム中で４つのＯＦＤＭシンボルの等しい間隔において配置される。この場合、５Ｇおよび６Ｇなどの通信システムでは、サブキャリア離間が１２０ｋＨｚである場合、１２０ｋＨｚは１５ｋＨｚの８倍ほど大きい。固定マッピング方法が使用された場合、基準信号の間隔は、周波数領域ではＬＴＥシステムの間隔の８倍ほど大きく、結果的に、基準信号の分配が周波数領域では過大に疎になる。基準信号の間隔は、時間に関してＬＴＥシステムのそれの１／８にすぎず、時間に関して基準信号の過大に小さい間隔を生じる。基準信号は、周波数に関して３つのサブキャリアの間隔において挿入され、基準信号は、時間に関して２つのＯＦＤＭシンボルの間隔において挿入される。詳細については、表１を参照されたい。
【０１３８】
本発明のこの実施形態では、基準信号をマッピングするための時間周波数リソースロケーションは、プリセットルールを使用することによって（静的構成を使用することによって）判定され得る。サブキャリア離間が１２０ｋＨｚであるとき、基準信号は、周波数に関して３×８＝２４個のサブキャリアの間隔において挿入され、基準信号は、時間に関して２／８＝０．２５個のＯＦＤＭシンボルの間隔において挿入される。これが、基準信号をマッピングするための判定された時間周波数リソースロケーションである。
【０１３９】
５０５．ユーザ機器が、サブキャリア離間構成パラメータ情報、現在の動作周波数情報、現在サポートされる移動速度、およびスケジュールされた帯域幅情報のうちの少なくとも１つを取得する。
【０１４０】
本発明のこの実施形態では、ユーザ機器は、基地局によって送られたダウンリンクスケジューリングシグナリングを受信し、ダウンリンクスケジューリングシグナリングは、スケジュールされた時間周波数リソースを含み、ユーザ機器は、サブキャリア離間構成パラメータ情報、現在の動作周波数情報、現在サポートされる移動速度、およびスケジュールされた帯域幅情報のうちの少なくとも１つを取得した。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【０１４１】
５０６．ユーザ機器が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４２】
本発明のこの実施形態では、ＵＥは、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４３】
ここにおいて静的構成が使用されたとき、基準信号を受信するための時間周波数リソースロケーションをＵＥによって判定するための方法は、基準信号を送るための時間周波数リソースロケーションを基地局によって判定するための方法と同じであることを理解されたく、特に以下の通りである。
【０１４４】
（１）ユーザ機器が、サブキャリア離間構成パラメータ情報、現在の動作周波数情報、現在サポートされる移動速度、およびスケジュールされた帯域幅情報のうちの少なくとも１つに基づいて、基準信号の間隔を判定し、ユーザ機器が、基準信号の間隔に基づいて、基準信号を受信するための時間周波数リソースロケーションを判定する。
【０１４５】
（２）基準信号を受信するための時間周波数リソースロケーションは（ｋ，ｌ）によって表され、ｋは基準信号のサブキャリア番号であり、ｌは基準信号の直交周波数分割多重化ＯＦＤＭシンボル番号であり、
〔１〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定し、ＯＦＤＭシンボル番号ｌは第１のプリセット値であるか、または
〔２〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定し、サブキャリア番号ｋは第２のプリセット値であるか、または
〔３〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定する。
【０１４６】
（３）ユーザ機器が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４７】
基準信号を受信するための時間周波数リソースロケーションを判定するステップは、基準信号をマッピングするための時間周波数リソースロケーションを判定するステップと同様であることに留意されたい。詳細な処理については、ステップ５０４を参照されたい。詳細について、ここで再び説明されない。ユーザ機器によって、基準信号を受信するための時間周波数リソースロケーションを判定するステップ、および基地局によって、基準信号をマッピングするための時間周波数リソースロケーションを判定するステップの時間シーケンスは特に限定されない。
【０１４８】
５０７．基地局がユーザ機器に基準信号を送る。
【０１４９】
本発明のこの実施形態では、このステップは、以下のようにステップｃおよびステップｄを含み得る。
【０１５０】
ｃ．基地局が、時間周波数リソースロケーションにおいてユーザ機器に基準信号を送る。
【０１５１】
本発明のこの実施形態では、基地局は、ＵＥのためにスケジュールされた時間周波数リソースの範囲内の判定された時間周波数リソースロケーションにおいて各ＵＥに基準信号を送り、スケジューリング範囲内の別のリソース上でデータを送る。基地局は、判定された時間周波数リソースロケーション（ｋ，ｌ）において基準信号をマッピングし、次いで基準信号を送り得るか、またはプリセットルールに従って判定された基準信号の密度に基づいて基準信号をマッピングし、次いで基準信号を送り得る。
【０１５２】
ｄ．ユーザ機器が、時間周波数リソースロケーションにおいて、基地局によって送られた基準信号を受信する。
【０１５３】
本発明のこの実施形態では、基準信号を受信するための時間周波数リソースロケーションを判定した後に、ユーザ機器は、時間周波数リソースロケーションにおいて、基地局によって送られた基準信号を受信し、スケジュールされた時間周波数リソースの範囲内の別のリソース上で送られたデータを受信する。
【０１５４】
５０８．ユーザ機器が、受信された基準信号に基づいてチャネル推定を実施する。
【０１５５】
本発明のこの実施形態では、ＵＥは、受信された基準信号に基づいてチャネル推定を実施し、推定されたチャネル状態情報に基づいてスケジュールされた時間周波数リソースの範囲内の別のリソース上でデータを受信し復調する。
【０１５６】
本発明のこの実施形態では、従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。本発明のこの実施形態では、従来技術への改善は以下の通りである。従来技術では、フルバンドアクセスは考慮されず、システム設計において一意の固定の動作周波数があると仮定され、１つのタイプのサブキャリア離間が、動作周波数、ハードウェア性能、およびチャネルシナリオに基づいて選択される。そのような方式では、周波数領域および時間領域における基準信号の密度は固定である。本発明のこの実施形態では、ダウンリンクスケジューリング処理について説明される。周波数領域および時間領域中の基準信号の密度は可変であり、周波数領域および時間領域中の基準信号の密度は、サブキャリア離間構成パラメータ情報または他の情報に基づいて判定され得、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【０１５７】
図６に示されているように、図６は、本発明の一実施形態によるリソースマッピング方法の別の実施形態の概略図である。ＬＴＥ通信におけるダウンリンクスケジュール処理、すなわち、送信端部が基地局であり、受信端部がＵＥであることが、ここでの説明のための一例として使用される。本方法は以下のステップを含む。
【０１５８】
６０１．基地局が、ユーザ機器のためにスケジュールされた時間周波数リソースを判定する。
【０１５９】
６０２．基地局がユーザ機器にダウンリンクスケジューリングシグナリングを送り、ダウンリンクスケジューリングシグナリングは、スケジュールされた時間周波数リソースを含む。
【０１６０】
６０３．基地局が、サブキャリア離間構成パラメータ情報、現在の動作周波数情報、現在サポートされる移動速度、およびスケジュールされた帯域幅情報のうちの少なくとも１つを取得する。
【０１６１】
６０４．基地局が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１６２】
本発明のこの実施形態では、ステップ６０１から６０４は、図５に示されている実施形態のステップ５０１から５０４と同じである。詳細について、ここで再び説明されない。
【０１６３】
６０５．基地局がユーザ機器に基準信号ロケーション構成情報を送る。
【０１６４】
本発明のこの実施形態では、このステップは、以下のようにステップｅおよびステップｆを含み得る。
【０１６５】
ｅ．基地局がユーザ機器に基準信号ロケーション構成情報を送る。
【０１６６】
本発明のこの実施形態では、基地局は、最初に基準信号ロケーション構成情報を判定し、次いで、ユーザ機器に基準信号ロケーション構成情報を送る。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【０１６７】
ｆ．ユーザ機器が基準信号ロケーション構成情報を受信する。
【０１６８】
本発明のこの実施形態では、ユーザ機器は基準信号ロケーション構成情報を受信する。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【０１６９】
６０６．ユーザ機器が、基準信号ロケーション構成情報に基づいて、基準信号を受信するための時間周波数リソースロケーションを判定する。
【０１７０】
本発明のこの実施形態では、ユーザ機器は、基準信号ロケーション構成情報に基づいて、基準信号を受信するための時間周波数リソースロケーションを判定する。詳細な判定方法については、図５に示されている実施形態のステップ５０４中の式（１）から式（４）を参照されたい。詳細について、ここで再び説明されない。
【０１７１】
６０７．基地局がユーザ機器に基準信号を送る。
【０１７２】
本発明のこの実施形態では、このステップは、以下のようにステップｇおよびステップｈを含み得る。
【０１７３】
ｇ．基地局が、時間周波数リソースロケーションにおいてユーザ機器に基準信号を送る。
【０１７４】
本発明のこの実施形態では、基地局は、ＵＥのためにスケジュールされた時間周波数リソースの範囲内の判定された時間周波数リソースロケーションにおいて各ＵＥに基準信号を送り、スケジューリング範囲内の別のリソース上でデータを送る。基地局は、判定された時間周波数リソースロケーション（ｋ，ｌ）において基準信号をマッピングし、次いで基準信号を送り得るか、またはプリセットルールに従って判定された基準信号の密度に基づいて基準信号をマッピングし、次いで基準信号を送り得る。
【０１７５】
ｈ．ユーザ機器が、時間周波数リソースロケーションにおいて、基地局によって送られた基準信号を受信する。
【０１７６】
本発明のこの実施形態では、ユーザ機器は、基準信号を受信するための判定された時間周波数リソースロケーションにおいて、基地局によって送られた基準信号を受信し、スケジュールされた時間周波数リソースの範囲内の別のリソース上で送られたデータを受信する。
【０１７７】
６０８．ユーザ機器が、受信された基準信号に基づいてチャネル推定を実施する。
【０１７８】
本発明のこの実施形態では、ステップ６０８は、図５に示されている実施形態のステップ５０８と同じである。詳細について、ここで再び説明されない。
【０１７９】
本発明のこの実施形態は、半静的または動的な構成が実施される実施形態である。基地局は、ユーザ機器に基準信号構成情報を送る必要があり、ユーザ機器は、基準信号構成情報に基づいて、基準信号を受信するための時間周波数リソースロケーションを判定し、基地局は、基準信号を送るための時間周波数リソースロケーションが変化しないと判定する。
【０１８０】
上記で、本発明の実施形態におけるリソースマッピング方法について説明し、以下で、本発明の実施形態における送信端部および受信端部について説明する。図７に示されているように、図７は、本発明の一実施形態による送信端部の一実施形態の概略図である。送信端部は、
サブキャリア離間構成パラメータ情報、現在の動作周波数情報、現在サポートされる移動速度、およびスケジュールされた帯域幅情報のうちの少なくとも１つを取得するように構成された、取得モジュール７０１と、
サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように構成された、判定モジュール７０２と、
時間周波数リソースロケーションにおいて基準信号をマッピングするように構成された、送信モジュール７０３と
を含み得る。
【０１８１】
任意選択で、本発明のいくつかの実施形態では、
判定モジュール７０２は、サブキャリア離間構成パラメータ情報、現在の動作周波数情報、現在サポートされる移動速度、およびスケジュールされた帯域幅情報のうちの少なくとも１つに基づいて、基準信号の間隔を判定し、基準信号の間隔に基づいて、基準信号をマッピングするための時間周波数リソースロケーションを判定するように特に構成される。
【０１８２】
任意選択で、本発明のいくつかの実施形態では、
判定モジュール７０２は、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように特に構成される。
【０１８３】
任意選択で、本発明のいくつかの実施形態では、基準信号をマッピングするための時間周波数リソースロケーションは（ｋ，ｌ）によって表され、ｋは基準信号のサブキャリア番号であり、ｌは基準信号の直交周波数分割多重化ＯＦＤＭシンボル番号であり、
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定するように特に構成され、ＯＦＤＭシンボル番号ｌは第１のプリセット値であるか、または
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定するように特に構成され、サブキャリア番号ｋは第２のプリセット値であるか、または
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定するように特に構成される。
【０１８４】
任意選択で、本発明のいくつかの実施形態では、
送信モジュール７０３は、送信端部が基地局を含む場合、送信モジュールによって受信端部に基準信号ロケーション構成情報を送るように構成されるか、または
取得モジュール７０１は、送信端部がユーザ機器を含む場合、取得モジュールによって基準信号ロケーション構成情報を受信し、基準信号ロケーション構成情報に基づいて、基準信号をマッピングするための時間周波数リソースロケーションを判定するように構成される。
【０１８５】
図８に示されているように、図８は、本発明の一実施形態による受信端部の一実施形態の概略図である。受信端部は、
サブキャリア離間構成パラメータ情報、現在の動作周波数情報、現在サポートされる移動速度、およびスケジュールされた帯域幅情報のうちの少なくとも１つを取得するように構成された、取得モジュール８０１と、
サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定するように構成された、判定モジュール８０２と、
時間周波数リソースロケーションにおいて、送信端部によって送られた基準信号を受信するように構成された、受信モジュール８０３と
を含み得る。
【０１８６】
任意選択で、本発明のいくつかの実施形態では、
判定モジュール８０２は、サブキャリア離間構成パラメータ情報、現在の動作周波数情報、現在サポートされる移動速度、およびスケジュールされた帯域幅情報のうちの少なくとも１つに基づいて、基準信号の間隔を判定し、基準信号の間隔に基づいて、基準信号を受信するための時間周波数リソースロケーションを判定するように特に構成される。
【０１８７】
任意選択で、本発明のいくつかの実施形態では、
判定モジュール８０２は、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションをするように特に構成される。
【０１８８】
任意選択で、本発明のいくつかの実施形態では、基準信号を受信するための時間周波数リソースロケーションは（ｋ，ｌ）によって表され、ｋは基準信号のサブキャリア番号であり、ｌは基準信号のＯＦＤＭシンボル番号であり、
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定するように特に構成され、ＯＦＤＭシンボル番号ｌは第１のプリセット値であるか、または
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定するように特に構成され、サブキャリア番号ｋは第２のプリセット値であるか、または
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定するように特に構成される。
【０１８９】
任意選択で、本発明のいくつかの実施形態では、受信端部は、
送信モジュール８０３であって、受信端部が基地局を含む場合、送信モジュールによって送信端部に基準信号ロケーション構成情報を送るように構成された、送信モジュール８０３をさらに含み、基準信号ロケーション構成情報は、基準信号をマッピングするための時間周波数リソースロケーションを判定するために送信端部によって使用されるか、または
取得モジュール８０１は、受信端部がユーザ機器を含む場合、送信端部によって送られた基準信号ロケーション構成情報を取得モジュールによって受信し、基準信号ロケーション構成情報に基づいて、基準信号を受信するための時間周波数リソースロケーションを判定するように構成される。
【０１９０】
図９に示されているように、図９は、本発明の一実施形態による基地局の一実施形態の概略図である。
【０１９１】
基地局は、構成または性能差によって大幅に異なることがあり、トランシーバ９０１、少なくとも１つの中央処理ユニット（ｃｅｎｔｒａｌ  ｐｒｏｃｅｓｓｉｎｇ  ｕｎｉｔ、ＣＰＵ）９０２（たとえば、少なくとも１つのプロセッサ）、メモリ９０３、およびアプリケーションプログラム９０４１またはデータ９０４２を記憶する少なくとも１つの記憶媒体９０４（たとえば、少なくとも１つの大容量記憶デバイス）を含み得る。メモリ９０３および記憶媒体９０４は一時記憶装置または永久記憶装置であり得る。記憶媒体９０４に記憶されたプログラムは、（図９に示されていない）少なくとも１つのモジュールを含むことがあり、各モジュールは一連の命令演算を含み得る。さらに、中央処理ユニット９０２は、記憶媒体９０４と通信し、基地局上で、記憶媒体９０４中の一連の命令演算を実行するように設定され得る。
【０１９２】
本発明のこの実施形態では、トランシーバ９０１は、図３のステップ３０２、図４のステップ４０２および４０５、図５のステップ５０２および５０７、ならびに図６のステップ６０２、６０５、および６０７を実施するように構成される。
【０１９３】
中央処理ユニット９０２は、図３のステップ３０１、３０５、３０６、および３０８、図４のステップ４０１、４０３、４０４、および４０８、図５のステップ５０１、５０３、および５０４、ならびに図６のステップ６０１、６０３、および６０４を実施するように構成される。
【０１９４】
図１０に示されているように、図１０は、本発明の一実施形態によるユーザ機器の一実施形態の概略図である。
【０１９５】
ユーザ機器は、モバイルフォン、タブレットコンピュータ、ＰＤＡ（ｐｅｒｓｏｎａｌ  ｄｉｇｉｔａｌ  ａｓｓｉｓｔａｎｔ、携帯情報端末）、ＰＯＳ（ｐｏｉｎｔ  ｏｆ  ｓａｌｅ、ポイントオブセール）、車載コンピュータなどを含む任意の端末デバイスであり得る。たとえば、ユーザ機器はモバイルフォンである。
【０１９６】
図１０は、本発明の一実施形態による端末に関係するモバイルフォンの部分構造のブロック図である。図１０を参照すると、モバイルフォンは、無線周波数（ｒａｄｉｏ  ｆｒｅｑｕｅｎｃｙ、ＲＦ）回路１０１０、メモリ１０２０、入力ユニット１０３０、ディスプレイユニット１０４０、センサー１０５０、オーディオ周波数回路１０６０、ワイヤレスフィデリティ（ｗｉｒｅｌｅｓｓ  ｆｉｄｅｌｉｔｙ、ＷｉＦｉ）モジュール１０７０、プロセッサ１０８０、電源１０９０などの構成要素を含む。図１０に示されているモバイルフォン構造は、モバイルフォンに対していかなる限定ともならず、モバイルフォンは、図に示されているものよりも多いかもしくは少ない構成要素、またはいくつかの構成要素の組合せ、または別様に配設された構成要素を含み得ることを当業者は理解されよう。
【０１９７】
以下で、図１０を参照しながらモバイルフォンの構成部分について詳細に説明する。
【０１９８】
ＲＦ回路１０１０は、情報受信および送信処理または呼処理において信号を受信および送信するように構成され、特に、基地局のダウンリンク情報を受信した後に、プロセッサ１０８０に処理のためにダウンリンク情報を送り、基地局にアップリンクデータを送るように構成され得る。通常、ＲＦ回路１０１０は、限定はされないが、アンテナ、少なくとも１つの増幅器、トランシーバ、カプラ、低雑音増幅器（ｌｏｗ  ｎｏｉｓｅ  ａｍｐｌｉｆｉｅｒ、ＬＮＡ）、およびデュプレクサを含む。加えて、ＲＦ回路１０１０はまた、ワイヤレス通信を通してネットワークおよび他のデバイスと通信し得る。限定はされないが、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、ロングタームエボリューション（Ｌｏｎｇ  Ｔｅｒｍ  Ｅｖｏｌｕｔｉｏｎ、ＬＴＥ）、電子メール、およびショートメッセージサービス（Ｓｈｏｒｔ  Ｍｅｓｓａｇｉｎｇ  Ｓｅｒｖｉｃｅ、ＳＭＳ）を含む、どんな通信規格またはプロトコルでもワイヤレス通信のために使用され得る。
【０１９９】
メモリ１０２０は、ソフトウェアプログラムおよびモジュールを記憶するように構成され得る。プロセッサ１０８０は、メモリ１０２０に記憶されているソフトウェアプログラムおよびモジュールを実行することによってモバイルフォンの様々なアプリケーション機能およびデータ処理を実施する。メモリ１０２０は、プログラム記憶領域およびデータ記憶領域を主に含み得る。プログラム記憶領域は、オペレーティングシステム、（音声再生機能および画像再生機能などの）少なくとも１つの機能によって必要とされるアプリケーションプログラムなどを記憶し得る。データ記憶領域は、モバイルフォンの使用に基づいて作成された（オーディオデータおよび電話帳などの）データなどを記憶し得る。加えて、メモリ１０２０は、高速ランダムアクセスメモリを含むことがあり、少なくとも１つの磁気ディスク記憶デバイス、フラッシュメモリデバイス、または別の揮発性ソリッドステート記憶デバイスなどの不揮発性メモリをさらに含み得る。
【０２００】
入力ユニット１０３０は、入力デジタルまたは文字情報を受信し、モバイルフォンのユーザ設定および機能制御に関係するキー信号入力を生成するように構成され得る。特に、入力ユニット１０３０は、タッチパネル１０３１および他の入力デバイス１０３２を含み得る。タッチスクリーンとも呼ばれるタッチパネル１０３１は、タッチパネル１０３１上でまたはその近くでユーザによって実施されるタッチ操作（たとえば、指またはスタイラスなど、任意の適切なオブジェクトまたはアクセサリーを使用することによってタッチパネル１０３１上でまたはタッチパネル１０３１の近くでユーザによって実施される操作）を収集し、プリセットプログラムに従って対応する接続装置を駆動し得る。任意選択で、タッチパネル１０３１は、タッチ検出装置およびタッチコントローラという２つの部分を含み得る。タッチ検出装置は、ユーザのタッチロケーションを検出し、タッチ操作によって生成された信号を検出し、信号をタッチコントローラに送信する。タッチコントローラは、タッチ検出装置からタッチ情報を受信し、タッチ情報をコンタクト座標に変換し、コンタクト座標をプロセッサ１０８０に送り、また、プロセッサ１０８０によって送られたコマンドを受信し実行することが可能である。加えて、タッチパネル１０３１は、抵抗性タイプ、容量性タイプ、赤外線タイプ、および表面弾性波タイプなど、複数のタイプを使用することによって実装され得る。タッチパネル１０３１に加えて、入力ユニット１０３０は他の入力デバイス１０３２を含み得る。特に、他の入力デバイス１０３２は、限定はされないが、物理キーボード、（ボリューム制御キーまたはオン／オフキーなどの）機能キー、トラックボール、マウス、およびジョイスティックのうちの１つまたは複数を含み得る。
【０２０１】
ディスプレイユニット１０４０は、ユーザによって入力された情報、ユーザに提供される情報、およびモバイルフォンの様々なメニューを表示するように構成され得る。ディスプレイユニット１０４０はディスプレイパネル１０４１を含み得る。任意選択で、ディスプレイパネル１０４１は、液晶ディスプレイ（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）などの形態で構成され得る。さらに、タッチパネル１０３１はディスプレイパネル１０４１をカバーし得る。タッチパネル１０３１上のまたはそれの近くのタッチ操作を検出した後に、タッチパネル１０３１は、タッチイベントタイプを判定するためにタッチ操作に関する情報をプロセッサ１０８０に送信し、次いで、プロセッサ１０８０は、タッチイベントタイプに基づいてディスプレイパネル１０４１上に対応する視覚的出力を提供する。図１０では、タッチパネル１０３１およびディスプレイパネル１０４１は、モバイルフォンの入力および出力機能を実装するための２つの独立した構成要素として使用される。しかしながら、いくつかの実施形態では、タッチパネル１０３１およびディスプレイパネル１０４１は、モバイルフォンの入力および出力機能を実装するために一体化され得る。
【０２０２】
モバイルフォンは、光センサー、動きセンサー、または別のセンサーなど、少なくとも１つのセンサー１０５０をさらに含み得る。特に、光センサーは、周辺光センサーおよび近接センサーを含み得る。周辺光センサーは、周辺光の輝度に基づいてディスプレイパネル１０４１のルミナンスを調整し得る。近接センサーは、モバイルフォンが耳に近づいたとき、ディスプレイパネル１０４１および／またはバックライトをオフにし得る。動きセンサーの種類として、加速度計センサーは、様々な方向において（通常、３つの軸がある）加速度の値を検出し得、静的状態で重力の値および方向を検出し得、モバイルフォンのポスチャーを識別するアプリケーション（たとえば、横長モードとポートレートモードとの間のスクリーン切替え、関係するゲーム、および磁力計ポスチャー較正）、振動識別関係の機能（たとえば、歩数計およびタッピング）などのために使用され得る。ジャイロスコープ、気圧計、湿度計、温度計、および赤外線センサーなど、モバイルフォン上に構成され得る他のセンサーについてはここで説明されない。
【０２０３】
オーディオ周波数回路１０６０、ラウドスピーカー１０６１、およびマイクロフォン１０６２は、ユーザとモバイルフォンとの間のオーディオインターフェースを提供し得る。オーディオ周波数回路１０６０は、受信されたオーディオデータの変換の後に取得された電気信号をラウドスピーカー１０６１に送信することがあり、ラウドスピーカー１０６１は、電気信号を音信号に変換し、音信号を出力する。加えて、マイクロフォン１０６２は、収集された音信号を電気信号に変換し、オーディオ周波数回路１０６０は、電気信号を受信し、電気信号をオーディオデータに変換し、オーディオデータを処理のためにプロセッサ１０８０に出力し、次いで、処理されたオーディオデータは、たとえば、ＲＦ回路１０１０を使用することによって別のモバイルフォンに送られるか、またはオーディオデータはさらなる処理のためにメモリ１０２０に出力される。
【０２０４】
ＷｉＦｉは短距離ワイヤレス送信技術である。ＷｉＦｉモジュール１０７０を使用することによって、モバイルフォンは、ユーザが電子メールを送信および受信し、ウェブページをブラウジングし、ストリーミングメディアにアクセスすることなどを助け得る。ＷｉＦｉモジュール１０７０は、ユーザにワイヤレスブロードバンドインターネットアクセスを提供する。図１０はＷｉＦｉモジュール１０７０を示しているが、ＷｉＦｉモジュール１０７０はモバイルフォンの必須構成要素ではなく、本発明の本質範囲を変更することなく要件に応じて完全に省略され得ることが理解されよう。
【０２０５】
プロセッサ１０８０は、モバイルフォンの制御センターであり、様々なインターフェースおよびラインを使用することによってモバイルフォン全体のすべての部分に接続され、メモリ１０２０に記憶されたソフトウェアプログラムおよび／またはモジュールを走らせるかまたは実行することによってならびにメモリ１０２０に記憶されたデータを呼び出すことによって、モバイルフォンの様々な機能を実行しデータを処理して、モバイルフォン上で全体的な監視を実施する。任意選択で、プロセッサ１０８０は１つまたは複数の処理ユニットを含み得る。好ましくは、アプリケーションプロセッサおよびモデムプロセッサがプロセッサ１０８０に組み込まれ得る。アプリケーションプロセッサは、オペレーティングシステム、ユーザインターフェース、アプリケーションプログラムなどを主に処理し、モデムプロセッサは、ワイヤレス通信を主に処理する。モデムプロセッサは、代替として、プロセッサ１０８０に組み込まれないことがあることが理解されよう。
【０２０６】
モバイルフォンは、すべての構成要素に電力を供給する電源１０９０（たとえば、バッテリー）をさらに含む。好ましくは、電源は、電力管理システムを使用することによってプロセッサ１０８０に論理的に接続されることがあり、それによって、充電および放電管理ならびに電力消費管理などの機能が、電力管理システムを使用することによって実装される。
【０２０７】
図示されていないが、モバイルフォンは、カメラ、Ｂｌｕｅｔｏｏｔｈモジュールなどをさらに含み得る。詳細についてここで説明されない。
【０２０８】
本発明のこの実施形態では、ユーザ機器中に含まれるプロセッサ１０８０は、
図３のステップ３０３および３０４を実施すること、図４のステップ４０６を実施すること、図５のステップ５０５、５０６、および５０８を実施すること、ならびに図６のステップ６０６および６０８を実施すること
の機能をさらに有する。
【０２０９】
ユーザ機器中に含まれる無線周波数回路１０１０は、
図３のステップ３０７を実施することおよび図４のステップ４０７を実施すること
の機能をさらに有する。
【０２１０】
本発明の一実施形態は、記憶媒体をさらに提供する。本質的に本発明の技術的解決策、または従来技術に寄与する部分、または技術的解決策の全部もしくは一部は、ソフトウェア製品の形態で実装され得ることに留意されたい。コンピュータソフトウェア製品は記憶媒体に記憶される。記憶媒体は、上記のデバイスによる使用のためのコンピュータソフトウェア命令を記憶するように構成される。コンピュータソフトウェア製品は、第１の態様または第２の態様におけるデバイスのために設計されたプログラムを含む。記憶媒体は、ＵＳＢフラッシュドライブ、リムーバブルハードディスク、読取り専用メモリ（ＲＯＭ、ｒｅａｄ−ｏｎｌｙ  ｍｅｍｏｒｙ）、ランダムアクセスメモリ（ＲＡＭ、ｒａｎｄｏｍ  ａｃｃｅｓｓ  ｍｅｍｏｒｙ）、磁気ディスク、または光ディスクなど、プログラムコードを記憶することができる任意の媒体を含む。
【０２１１】
本発明の明細書、特許請求の範囲、および添付の図面では、「第１の（ｆｉｒｓｔ）」、「第２の（ｓｅｃｏｎｄ）」、「第３の（ｔｈｉｒｄ）」、「第４の（ｆｏｕｒｔｈ）」などの用語（存在する場合）は、同様の物体を区別するよう意図されているが、必ずしも特定の順序またはシーケンスを示さない。そのような方法で名付けられたデータは、本明細書において説明される本発明の実施形態が本明細書において例示または説明される順序以外の順序で実装され得るように、適切な状況では交換可能であることを理解されたい。その上、「含む（ｉｎｃｌｕｄｅ）」、「含んでいる（ｃｏｎｔａｉｎ）」および任意の他の変形の用語は、非排他的包含を網羅することを意味し、たとえば、ステップまたはユニットのリストを含む処理、方法、システム、製品、またはデバイスは、必ずしも明確にリストされたそれらのステップまたはユニットに限定されず、そのような処理、方法、製品、またはデバイスについて明確にリストされないかまたは固有でない他のステップまたはユニットを含み得る。
【図１】
2020502839.tif 000004
【図２】
2020502839.tif 000005
【図３】
2020502839.tif 000006
【図４】
2020502839.tif 000007
【図５】
2020502839.tif 000008
【図６】
2020502839.tif 000009
【図７】
2020502839.tif 000010
【図８】
2020502839.tif 000011
【図９】
2020502839.tif 000012
【図１０】
2020502839.tif 000013
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
送信端部によって、サブキャリア離間構成パラメータ情報、現在の動作周波数情報、現在サポートされる移動速度、およびスケジュールされた帯域幅情報のうちの少なくとも１つを取得するステップと、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定するステップと、
前記送信端部によって、前記時間周波数リソースロケーションにおいて前記基準信号をマッピングするステップと
を備える、リソースマッピング方法。
【請求項２】
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号の間隔を判定するステップと、
前記基準信号の前記間隔に基づいて前記送信端部によって、前記基準信号をマッピングするための前記時間周波数リソースロケーションを判定するステップと
を備える請求項１に記載の方法。
【請求項３】
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記基準信号をマッピングするための前記時間周波数リソースロケーションを判定するステップ
を備える請求項１に記載の方法。
【請求項４】
前記基準信号をマッピングするための前記時間周波数リソースロケーションは（ｋ，ｌ）によって表され、ｋは前記基準信号のサブキャリア番号であり、ｌは前記基準信号の直交周波数分割多重化（ＯＦＤＭ）シンボル番号であり、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、基準信号をマッピングするための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記サブキャリア番号ｋを判定するステップであって、前記ＯＦＤＭシンボル番号ｌは第１のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記ＯＦＤＭシンボル番号ｌを判定するステップであって、前記サブキャリア番号ｋは第２のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記送信端部によって、前記マッピングされるべき基準信号の前記サブキャリア番号ｋおよび前記ＯＦＤＭシンボル番号ｌを判定するステップ
を備える請求項１乃至３のいずれか一項に記載の方法。
【請求項５】
前記方法は、
前記送信端部が基地局を備える場合、前記送信端部によって受信端部に基準信号ロケーション構成情報を送るステップ、または
前記送信端部がユーザ機器を備える場合、前記送信端部によって基準信号ロケーション構成情報を受信し、前記基準信号ロケーション構成情報に基づいて、前記基準信号をマッピングするための前記時間周波数リソースロケーションを判定するステップ
をさらに備える請求項１乃至４のいずれか一項に記載の方法。
【請求項６】
受信端部によって、サブキャリア離間構成パラメータ情報、現在の動作周波数情報、現在サポートされる移動速度、およびスケジュールされた帯域幅情報のうちの少なくとも１つを取得するステップと、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定するステップと、
前記時間周波数リソースロケーションにおいて前記受信端部によって、送信端部によって送られた前記基準信号を受信するステップと
を備える、リソースマッピング方法。
【請求項７】
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号の間隔を判定するステップと、
前記基準信号の前記間隔に基づいて前記受信端部によって、前記基準信号を受信するための前記時間周波数リソースロケーションを判定するステップと
を備える請求項６に記載の方法。
【請求項８】
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記基準信号を受信するための前記時間周波数リソースロケーションを判定するステップ
を備える請求項６に記載の方法。
【請求項９】
前記基準信号を受信するための前記時間周波数リソースロケーションは（ｋ，ｌ）によって表され、ｋは前記基準信号のサブキャリア番号であり、ｌは前記基準信号のＯＦＤＭシンボル番号であり、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、基準信号を受信するための時間周波数リソースロケーションを判定する前記ステップは、
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記サブキャリア番号ｋを判定するステップであって、前記ＯＦＤＭシンボル番号ｌは第１のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記ＯＦＤＭシンボル番号ｌを判定するステップであって、前記サブキャリア番号ｋは第２のプリセット値である、ステップ、または
前記サブキャリア離間構成パラメータ情報、前記現在の動作周波数情報、前記現在サポートされる移動速度、および前記スケジュールされた帯域幅情報のうちの前記少なくとも１つに基づいて前記受信端部によって、前記受信されるべき基準信号の前記サブキャリア番号ｋおよび前記ＯＦＤＭシンボル番号ｌを判定するステップ
を備える請求項６乃至８のいずれか一項に記載の方法。
【請求項１０】
前記方法は、
前記受信端部が基地局を備える場合、前記受信端部によって前記送信端部に基準信号ロケーション構成情報を送るステップであって、前記基準信号ロケーション構成情報は、前記基準信号をマッピングするための前記時間周波数リソースロケーションを判定するために前記送信端部によって使用される、ステップ、または
前記受信端部がユーザ機器を備える場合、前記送信端部によって送られた基準信号ロケーション構成情報を前記受信端部によって受信し、前記基準信号ロケーション構成情報に基づいて、前記基準信号を受信するための前記時間周波数リソースロケーションを判定するステップ
をさらに備える請求項６乃至９のいずれか一項に記載の方法。
【請求項１１】
サブキャリア離間構成パラメータ情報、現在の動作周波数情報、現在サポートされる移動速度、およびスケジュールされた帯域幅情報のうちの少なくとも１つを取得するように構成された、取得モジュールと、
前記サブキャリア離間構成パラメータ情報、前記現在の動作周波数情報、前記現在サポートされる移動速度、および前記スケジュールされた帯域幅情報のうちの前記少なくとも１つに基づいて、基準信号をマッピングするための時間周波数リソースロケーションを判定するように構成された、判定モジュールと、
前記時間周波数リソースロケーションにおいて前記基準信号をマッピングするように構成された、マッピングモジュールと
を備える、送信端部。
【請求項１２】
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、基準信号の間隔を判定し、前記基準信号の前記間隔に基づいて、前記基準信号をマッピングするための前記時間周波数リソースロケーションを判定するようにさらに構成された
請求項１１に記載の送信端部。
【請求項１３】
前記判定モジュールは、プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて、前記基準信号をマッピングするための前記時間周波数リソースロケーションをするようにさらに構成された
請求項１１に記載の送信端部。
【請求項１４】
前記基準信号をマッピングするための前記時間周波数リソースロケーションは（ｋ，ｌ）によって表され、ｋは前記基準信号のサブキャリア番号であり、ｌは前記基準信号の直交周波数分割多重化（ＯＦＤＭ）シンボル番号であり、
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記サブキャリア番号ｋを判定するようにさらに構成され、前記ＯＦＤＭシンボル番号ｌは第１のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記ＯＦＤＭシンボル番号ｌを判定するようにさらに構成され、前記サブキャリア番号ｋは第２のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記マッピングされるべき基準信号の前記サブキャリア番号ｋおよび前記ＯＦＤＭシンボル番号ｌを判定するようにさらに構成された
請求項１１乃至１３のいずれか一項に記載の送信端部。
【請求項１５】
前記送信端部は、
前記送信端部が基地局を備える場合、受信端部に基準信号ロケーション構成情報を送るように構成された、送信モジュールをさらに備えるか、または
前記取得モジュールは、前記送信端部がユーザ機器を備える場合、基準信号ロケーション構成情報を受信し、前記基準信号ロケーション構成情報に基づいて、前記基準信号をマッピングするための前記時間周波数リソースロケーションを判定するように構成された
請求項１１乃至１４のいずれか一項に記載の送信端部。
【請求項１６】
サブキャリア離間構成パラメータ情報、現在の動作周波数情報、現在サポートされる移動速度、およびスケジュールされた帯域幅情報のうちの少なくとも１つを取得するように構成された、取得モジュールと、
前記サブキャリア離間構成パラメータ情報、前記現在の動作周波数情報、前記現在サポートされる移動速度、および前記スケジュールされた帯域幅情報のうちの前記少なくとも１つに基づいて、基準信号を受信するための時間周波数リソースロケーションを判定するように構成された、判定モジュールと、
前記時間周波数リソースロケーションにおいて、送信端部によって送られた前記基準信号を受信するように構成された、受信モジュールと
を備える、受信端部。
【請求項１７】
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、基準信号の間隔を判定し、前記基準信号の前記間隔に基づいて、前記基準信号を受信するための前記時間周波数リソースロケーションを判定するようにさらに構成された
請求項１６に記載の受信端部。
【請求項１８】
前記判定モジュールは、プリセットルールに従って、ならびに前記サブキャリア離間構成パラメータ情報、前記現在の動作周波数情報、前記現在サポートされる移動速度、および前記スケジュールされた帯域幅情報のうちの前記少なくとも１つに基づいて、前記基準信号を受信するための前記時間周波数リソースロケーションをするようにさらに構成された
請求項１６に記載の受信端部。
【請求項１９】
前記基準信号を受信するための前記時間周波数リソースロケーションは（ｋ，ｌ）によって表され、ｋは前記基準信号のサブキャリア番号であり、ｌは前記基準信号のＯＦＤＭシンボル番号であり、
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記サブキャリア番号ｋを判定するようにさらに構成され、前記ＯＦＤＭシンボル番号ｌは第１のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記ＯＦＤＭシンボル番号ｌを判定するようにさらに構成され、前記サブキャリア番号ｋは第２のプリセット値であるか、または
前記判定モジュールは、前記サブキャリア離間構成パラメータ情報、前記現在の動作周波数情報、前記現在サポートされる移動速度、および前記スケジュールされた帯域幅情報のうちの前記少なくとも１つに基づいて、前記受信されるべき基準信号の前記サブキャリア番号ｋおよび前記ＯＦＤＭシンボル番号ｌを判定するようにさらに構成された
請求項１６乃至１８のいずれか一項に記載の受信端部。
【請求項２０】
前記受信端部は、
前記受信端部が基地局を備える場合、前記送信端部に基準信号ロケーション構成情報を送るように構成された、送信モジュールをさらに備え、前記基準信号ロケーション構成情報は、前記基準信号をマッピングするための前記時間周波数リソースロケーションを判定するために前記送信端部によって使用されるか、または
前記取得モジュールは、前記受信端部がユーザ機器を備える場合、前記送信端部によって送られた基準信号ロケーション構成情報を受信し、前記基準信号ロケーション構成情報に基づいて、前記基準信号を受信するための前記時間周波数リソースロケーションを判定するように構成された、
請求項１６乃至１９のいずれか一項に記載の受信端部。
【請求項２１】
プロセッサと、前記プロセッサによる実行のための命令を記憶している記憶媒体とを備える装置であって、前記命令が実行されたとき、前記プロセッサは、請求項１乃至１０のいずれか一項に記載の方法の前記ステップを行うように構成された、装置。
【請求項２２】
通信デバイスのプロセッサ上で実行されたとき、請求項１乃至１０のいずれか一項に記載の方法の前記ステップを前記通信デバイスに行わせるコンピュータプログラムコードを備えるコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、詳細にはリソースマッピング方法、送信端部、および受信端部に関する。
【背景技術】
【０００２】
将来の５Ｇシステムでは、（６ＧＨｚ未満の既存の周波数帯域、および６ＧＨｚから１００ＧＨｚの周波数帯域を含む）フルバンドアクセスが実装される。６ＧＨｚを超える周波数帯域、特にミリメートル波帯域では、ハードウェアの非理想性が位相雑音につながり、位相雑音は、ＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ、直交周波数分割多重化）システムにおいてサブキャリア間干渉（ｉｎｔｅｒ−ｃａｒｒｉｅｒ  ｉｎｔｅｒｆｅｒｅｎｃｅ、ＩＣＩ）を引き起こし、システム通信品質の著しい劣化を引き起こす。ＩＣＩをなくすための最も実際的な手法は、サブキャリア離間を増加させることである。将来の５Ｇシステムでは、様々なサブキャリア離間構成が使用される。このようにして、システムが高周波数帯域において動作するときは、比較的大きいサブキャリア離間に対応するＯＦＤＭ構成パラメータが使用され、システムが低周波数帯域において動作するときは、比較的小さいサブキャリア離間に対応するＯＦＤＭ構成パラメータが使用される。
【０００３】
通信システムでは、受信機が信号を正しく復調することができることを保証するために、いくつかの基準信号およびデータが交互に送られる必要があり、それにより、受信機は、チャネル情報を正しく推定し、推定されたチャネル情報を使用することによって、チャネル上で受信されるデータへの影響を相殺し、受信機の受信効果を改善することができる。基準信号の挿入離間は、周波数領域におけるチャネルのコヒーレンス帯域幅に一致する必要があり、時間領域におけるチャネルのコヒーレンス時間に一致する必要がある。
【０００４】
将来の５Ｇシステムは、異なる周波数において動作し、異なるサブキャリア離間構成を使用する。高周波数および低周波数システムにおいて固定マッピング方法が依然として使用される場合、基準信号の密度は過大に低いかまたは高い。受信された基準信号に基づいてチャネル推定を通して取得される等価チャネルパラメータは十分に正確でない可能性が高い。
【発明の概要】
【０００５】
本発明の実施形態は、リソースマッピング方法、送信端部、および受信端部を提供する。送信端部は、サブキャリア離間構成パラメータなどの情報に基づいて周波数領域および時間領域中の基準信号の密度を判定し、したがって、システムが、異なる周波数において動作し、異なるサブキャリア離間を使用するとき、基準信号の密度は、対応するチャネルのコヒーレンス帯域幅およびコヒーレンス時間に依然として一致することが可能であり、基準信号マッピングまたは受信が実施され、それにより、通信システムのための受信要件および送信要件が満たされ得る。
【０００６】
将来の５Ｇシステムは、異なる周波数において動作し、異なるサブキャリア離間構成を使用し得る。高周波数および低周波数システムにおいて固定マッピング方法が使用される場合、基準信号の密度は過大に低いかまたは高い。本発明の実施形態は、この問題を解決するために使用される。本発明は、送信端部および受信端部を含む、通信システムに主に適用可能である。送信端部に関係するネットワーク要素は、基地局、ワイヤレスアクセスポイント、またはユーザ機器ＵＥを含み得る。受信端部に関係するネットワーク要素は、ユーザ機器、端末、移動局（ｍｏｂｉｌｅ  ｓｔａｔｉｏｎ、ＭＳ）、基地局などを含み得る。
【０００７】
本発明の実施形態の第１の態様は、リソースマッピング方法を提供する。本方法は、送信端部によって、スケジュールされた時間周波数リソースを判定するステップであって、スケジュールされた時間周波数リソースに関係し送信端部によって取得される情報は、限定はされないが、サブキャリア離間構成パラメータ情報、システムの現在の動作周波数情報、システムによって現在サポートされる移動速度、およびスケジュールされた帯域幅情報などの情報を含み得る、ステップと、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップと、送信端部によって、時間領域／周波数領域リソースロケーションにおいて基準信号をマッピングするステップと、送信端部によって受信端部に基準信号を送るステップとを含み得る。
【０００８】
本発明のこの実施形態では、ここで送信端部は、基準信号をマッピングするための時間領域／周波数領域リソースロケーションを判定し、時間領域／周波数領域リソースロケーションにおいて基準信号をマッピングし、送られるべき基準信号の密度を判定する。周波数領域および時間領域中の基準信号の密度は、サブキャリア離間構成パラメータを含む情報に基づいて判定され得る。周波数領域および時間領域中の基準信号の密度は可変であり、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【０００９】
本発明の実施形態の第１の態様に関して、本発明の実施形態の第１の態様の第１の実装では、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、送信端部によって、サブキャリア離間構成パラメータ情報、現在の動作周波数情報、現在サポートされる移動速度、およびスケジュールされた帯域幅情報のうちの少なくとも１つに基づいて基準信号の間隔を判定するステップと、基準信号の間隔に基づいて送信端部によって、基準信号をマッピングするための時間領域／周波数領域リソースロケーションを判定するステップとを含み得る。
【００１０】
本発明のこの実施形態では、送信端部は、サブキャリア離間構成パラメータ情報、現在の動作周波数情報、現在サポートされる移動速度、およびスケジュールされた帯域幅情報などの情報に基づいて基準信号の間隔を判定し得る。ここで、基準信号の間隔は基準信号の密度を表す。基準信号の間隔は、時間次元における間隔および周波数次元における間隔を含み得る。次いで、基準信号をマッピングするための時間領域／周波数領域リソースロケーションが、基準信号の判定された間隔に基づいて判定される。
【００１１】
本発明の実施形態の第１の態様に関して、本発明の実施形態の第１の態様の第２の実装では、サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、プリセットルールに従って、ならびにサブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップを含み得る。ここでのプリセットルールは、送信端部と受信端部の両方によって事前に知られることを理解されたい。
【００１２】
本発明のこの実施形態では、プリセットルールに従って送信端部によって、基準信号を送るための時間領域／周波数領域リソースロケーションを判定するステップは、静的構成である。送信端部は、プリセットルールに従って、基準信号をマッピングするための時間領域／周波数領域リソースロケーションを構成し、受信端部も、プリセットルールに従って、基準信号を受信するための時間領域／周波数領域リソースロケーションを構成する。このプリセットルールは、送信端部と受信端部の両方によって事前に知られるルールである。したがって、これは、本発明の実施形態の任意選択の実装を提供する。
【００１３】
本発明の実施形態の第１の態様、または本発明の実施形態の第１の態様の第１および第２の実装のいずれか１つに関して、本発明の実施形態の第１の態様の第３の実装では、基準信号をマッピングするための時間領域／周波数領域リソースロケーションは（ｋ，ｌ）によって表され、ｋは基準信号のサブキャリア番号であり、ｌは基準信号の直交周波数分割多重化（ＯＦＤＭ）シンボル番号であり、
サブキャリア離間構成パラメータ情報、現在の動作周波数情報、現在サポートされる移動速度、およびスケジュールされた帯域幅情報のうちの少なくとも１つに基づいて送信端部によって、基準信号をマッピングするための時間領域／周波数領域リソースロケーションを判定するステップは、以下のいくつかの場合を含み得る。
（１）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のサブキャリア番号ｋを判定するステップであって、ＯＦＤＭシンボル番号ｌは第１のプリセット値である、ステップ、または
（２）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のＯＦＤＭシンボル番号ｌを判定するステップであって、サブキャリア番号ｋは第２のプリセット値である、ステップ、または
（３）サブキャリア離間構成パラメータ情報、現在の動作周波数情報、現在サポートされる移動速度、およびスケジュールされた帯域幅情報のうちの少なくとも１つに基づいて送信端部によって、マッピングされるべき基準信号のサブキャリア番号ｋおよびＯＦＤＭシンボル番号ｌを判定するステップ
【００１４】
本発明のこの実施形態では、時間領域／周波数領域リソースロケーションが（ｋ，ｌ）によって表され、ｋが基準信号のサブキャリア番号であり、ｌが基準信号の直交周波数分割多重化（ＯＦＤＭ）シンボル番号である場合、送信端部は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定することを行うか、またはマッピングされるべき基準信号のサブキャリア番号ｋを判定することであって、ＯＦＤＭシンボル番号ｌが固定値である、ことを行うか、またはマッピングされるべき基準信号のＯＦＤＭシンボル番号ｌを判定することであって、サブキャリア番号ｋが固定値である、ことを行い得る。これは、基準信号をマッピングするための時間領域／周波数領域リソースロケーションを判定する実装をさらに特に提供する。
【００１５】
本発明の実施形態の第１の態様、または本発明の実施形態の第１の態様の第１および第２の実装のいずれか１つに関して、本発明の実施形態の第１の態様の第４の実装では、本方法は、送信端部が基地局を含む場合、送信端部によって受信端部に基準信号ロケーション構成情報を送るステップ、または送信端部がユーザ機器を含む場合、送信端部によって基準信号ロケーション構成情報を受信し、基準信号ロケーション構成情報に基づいて、基準信号をマッピングするための時間領域／周波数領域リソースロケーションを判定するステップをさらに含み得る。
【００１６】
本発明の実施形態の第２の態様は、リソースマッピング方法を提供する。本方法は、受信端部によって、スケジュールされた時間周波数リソースを判定するステップであって、スケジュールされた時間周波数リソースに関係し受信端部によって取得される情報は、限定はされないが、サブキャリア離間構成パラメータ情報、現在の動作周波数情報、現在サポートされる移動速度、およびスケジュールされた帯域幅情報などの情報を含む、ステップと、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップと、時間領域／周波数領域リソースロケーションにおいて受信端部によって、送信端部によって送られた基準信号を受信するステップとを含み得る。
【００１７】
本発明のこの実施形態では、ここで、受信端部によって、基準信号を受信するための時間領域／周波数領域リソースロケーションを判定するステップは、受信されるべき基準信号の密度を判定するステップを意味する。周波数領域および時間領域中の基準信号の密度は、サブキャリア離間構成パラメータを含む情報に基づいて判定され得る。周波数領域および時間領域中の基準信号の密度は可変であり、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【００１８】
本発明の実施形態の第２の態様に関して、本発明の実施形態の第２の態様の第１の実装では、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、受信端部によって、サブキャリア離間構成パラメータ情報、現在の動作周波数情報、現在サポートされる移動速度、およびスケジュールされた帯域幅情報のうちの少なくとも１つに基づいて基準信号の間隔を判定するステップと、基準信号の間隔に基づいて受信端部によって、基準信号を受信するための時間領域／周波数領域リソースロケーションを判定するステップとを含み得る。
【００１９】
本発明のこの実施形態では、受信端部は、サブキャリア離間構成パラメータ情報、現在の動作周波数情報、現在サポートされる移動速度、およびスケジュールされた帯域幅情報などの情報に基づいて基準信号の間隔を判定し得る。ここで、基準信号の間隔は基準信号の密度を表す。基準信号の間隔は、時間次元における間隔および周波数次元における間隔を含み得る。次いで、基準信号を受信するための時間領域／周波数領域リソースロケーションが、基準信号の判定された間隔に基づいて判定される。
【００２０】
本発明の実施形態の第２の態様に関して、本発明の実施形態の第２の態様の第２の実装では、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、プリセットルールに従って、ならびにサブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップを含む。ここでのプリセットルールは、送信端部と受信端部の両方によって事前に知られることを理解されたい。
【００２１】
本発明のこの実施形態では、プリセットルールに従って受信端部によって、基準信号を受信するための時間領域／周波数領域リソースロケーションを判定するステップは、静的構成である。受信端部は、プリセットルールに従って、基準信号を受信するための時間領域／周波数領域リソースロケーションを構成し、送信端部も、プリセットルールに従って、基準信号を送るための時間領域／周波数領域リソースロケーションを構成する。このプリセットルールは、送信端部と受信端部の両方によって事前に知られるルールである。したがって、これは、本発明の実施形態の任意選択の実装を提供する。
【００２２】
本発明の実施形態の第２の態様、または本発明の実施形態の第２の態様の第１および第２の実装のいずれか１つに関して、本発明の実施形態の第２の態様の第３の実装では、基準信号を受信するための時間領域／周波数領域リソースロケーションは（ｋ，ｌ）によって表され、ｋは基準信号のサブキャリア番号であり、ｌは基準信号のＯＦＤＭシンボル番号であり、サブキャリア離間構成パラメータ情報、現在の動作周波数情報、現在サポートされる移動速度、およびスケジュールされた帯域幅情報のうちの少なくとも１つに基づいて受信端部によって、基準信号を受信するための時間領域／周波数領域リソースロケーションを判定するステップは、以下のいくつかの場合を含み得る。
（１）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のサブキャリア番号ｋを判定するステップであって、ＯＦＤＭシンボル番号ｌは第１のプリセット値である、ステップ、または
（２）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のＯＦＤＭシンボル番号ｌを判定するステップであって、サブキャリア番号ｋは第２のプリセット値である、ステップ、または
（３）サブキャリア離間構成パラメータ情報、現在の動作周波数情報、現在サポートされる移動速度、およびスケジュールされた帯域幅情報のうちの少なくとも１つに基づいて受信端部によって、受信されるべき基準信号のサブキャリア番号ｋおよびＯＦＤＭシンボル番号ｌを判定するステップ
【００２３】
本発明のこの実施形態では、時間領域／周波数領域リソースロケーションが（ｋ，ｌ）によって表され、ｋが基準信号のサブキャリア番号であり、ｌが基準信号の直交周波数分割多重化（ＯＦＤＭ）シンボル番号である場合、受信端部は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定することを行うか、または受信されるべき基準信号のサブキャリア番号ｋを判定することであって、ＯＦＤＭシンボル番号ｌが固定値である、ことを行うか、または受信されるべき基準信号のＯＦＤＭシンボル番号ｌを判定することであって、サブキャリア番号ｋが固定値である、ことを行い得る。これは、基準信号を受信するための時間領域／周波数領域リソースロケーションを判定する実装をさらに特に提供する。
【００２４】
本発明の実施形態の第２の態様、または本発明の実施形態の第２の態様の第１および第２の実装のいずれか１つに関して、本発明の実施形態の第２の態様の第４の実装では、本方法は、受信端部が基地局を含む場合、受信端部によって送信端部に基準信号ロケーション構成情報を送るステップであって、基準信号ロケーション構成情報は、基準信号をマッピングするための時間領域／周波数領域リソースロケーションを判定するために送信端部によって使用される、ステップ、受信端部がユーザ機器を含む場合の、送信端部によって送られた基準信号ロケーション構成情報を受信端部によって受信し、基準信号ロケーション構成情報に基づいて、基準信号を受信するための時間領域／周波数領域リソースロケーションを判定するステップをさらに含み得る。
【００２５】
本発明の実施形態の第３の態様は、第１の態様において提供される、基準信号をマッピングするための時間周波数リソースロケーションを判定することと、基準信号をマッピングすることとの対応する機能を有する送信端部を提供する。機能は、ハードウェアを使用することによって実装され得るか、または対応するソフトウェアを実行することによってハードウェアによって実装され得る。ハードウェアまたはソフトウェアは、機能に対応する１つまたは複数のモジュールを含む。
【００２６】
本発明の実施形態の第４の態様は、第２の態様において提供される、基準信号を受信するための時間周波数リソースロケーションを判定することと、基準信号を受信することとの対応する機能を有する受信端部を提供する。機能は、ハードウェアを使用することによって実装され得るか、または対応するソフトウェアを実行することによってハードウェアによって実装され得る。ハードウェアまたはソフトウェアは、機能に対応する１つまたは複数のモジュールを含む。
【００２７】
本発明の実施形態の第５の態様は、トランシーバ、プロセッサ、メモリ、およびバスを含み得る送信端部を提供し、トランシーバ、プロセッサ、およびメモリは、バスを使用することによって接続され、
メモリは、演算命令を記憶するように構成され、
プロセッサは、サブキャリア離間構成パラメータ情報、現在の動作周波数情報、現在サポートされる移動速度、およびスケジュールされた帯域幅情報のうちの少なくとも１つを取得し、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように構成され、
トランシーバは、時間周波数リソースロケーションにおいて基準信号をマッピングするように構成される。
【００２８】
本発明の実施形態の第６の態様は、トランシーバ、プロセッサ、メモリ、およびバスを含み得る受信端部を提供し、トランシーバ、プロセッサ、およびメモリは、バスを使用することによって接続され、
メモリは、演算命令を記憶するように構成され、
プロセッサは、サブキャリア離間構成パラメータ情報、現在の動作周波数情報、現在サポートされる移動速度、およびスケジュールされた帯域幅情報のうちの少なくとも１つを取得し、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定するように構成され、
トランシーバは、時間周波数リソースロケーションにおいて、送信端部によって送られた基準信号を受信するように構成される。
【００２９】
本発明の実施形態の第７の態様は、記憶媒体を提供する。本質的に本発明の技術的解決策、または従来技術に寄与する部分、または技術的解決策の全部もしくは一部は、ソフトウェア製品の形態で実装され得ることに留意されたい。コンピュータソフトウェア製品は記憶媒体に記憶される。記憶媒体は、上記のデバイスによる使用のためのコンピュータソフトウェア命令を記憶するように構成される。コンピュータソフトウェア製品は、第１の態様、第２の態様、第３の態様、または第４の態様における受信端部または送信端部のために設計されたプログラムを含む。
【００３０】
記憶媒体は、ＵＳＢフラッシュドライブ、リムーバブルハードディスク、読取り専用メモリ（ＲＯＭ、ｒｅａｄ−ｏｎｌｙ  ｍｅｍｏｒｙ）、ランダムアクセスメモリ（ＲＡＭ、ｒａｎｄｏｍ  ａｃｃｅｓｓ  ｍｅｍｏｒｙ）、磁気ディスク、または光ディスクなど、プログラムコードを記憶することができる任意の媒体を含む。
【００３１】
本発明の実施形態において提供される技術的解決策では、本発明の実施形態は以下の利点を有する。
【００３２】
本発明の実施形態では、送信端部は、サブキャリア離間構成パラメータ情報、現在の動作周波数情報、現在サポートされる移動速度、およびスケジュールされた帯域幅情報のうちの少なくとも１つを取得し、送信端部は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定し、送信端部は、時間周波数リソースロケーションにおいて基準信号をマッピングする。送信端部は、サブキャリア離間構成パラメータ情報に基づいて周波数領域および時間領域中の基準信号の密度を判定し、したがって、システムが、異なる周波数において動作し、異なるサブキャリア離間を使用するとき、基準信号の密度は、対応するチャネルのコヒーレンス帯域幅およびコヒーレンス時間に依然として一致することが可能であり、基準信号マッピングが実施され、それにより、通信システムのための受信要件および送信要件が満たされ得る。
【図面の簡単な説明】
【００３３】
【図１】本発明の一実施形態による基準信号挿入の一実施形態の概略図である。
【図２】本発明の一実施形態が適用されたシナリオの一実施形態の概略図である。
【図３】本発明の一実施形態によるリソースマッピング方法の一実施形態の概略図である。
【図４】本発明の一実施形態によるリソースマッピング方法の別の実施形態の概略図である。
【図５】本発明の一実施形態によるリソースマッピング方法の別の実施形態の概略図である。
【図６】本発明の一実施形態によるリソースマッピング方法の別の実施形態の概略図である。
【図７】本発明の一実施形態による送信端部の一実施形態の概略図である。
【図８】本発明の一実施形態による受信端部の一実施形態の概略図である。
【図９】本発明の一実施形態による基地局の一実施形態の概略図である。
【図１０】本発明の一実施形態によるユーザ機器の一実施形態の概略図である。
【発明を実施するための形態】
【００３４】
以下で、本発明の実施形態における添付の図面を参照しながら本発明の実施形態における技術的解決策について明らかに完全に説明する。明らかに、説明される実施形態は、本発明の実施形態のすべてではなく一部にすぎない。創造的な取組みなしに本発明の実施形態に基づいて当業者によって取得されるすべての他の実施形態は、本発明の保護範囲内に入る。
【００３５】
本発明の明細書、特許請求の範囲、および添付の図面では、「第１の（ｆｉｒｓｔ）」、「第２の（ｓｅｃｏｎｄ）」、「第３の（ｔｈｉｒｄ）」、「第４の（ｆｏｕｒｔｈ）」などの用語（存在する場合）は、同様の物体を区別するよう意図されているが、必ずしも特定の順序またはシーケンスを示さない。そのような方法で名付けられたデータは、本明細書において説明される本発明の実施形態が本明細書において例示または説明される順序以外の順序で実装され得るように、適切な状況では交換可能であることを理解されたい。その上、「含む（ｉｎｃｌｕｄｅ）」、「含んでいる（ｃｏｎｔａｉｎ）」および任意の他の変形の用語は、非排他的包含を網羅することを意味し、たとえば、ステップまたはユニットのリストを含む処理、方法、システム、製品、またはデバイスは、必ずしも明確にリストされたそれらのステップまたはユニットに限定されず、そのような処理、方法、製品、またはデバイスについて明確にリストされないかまたは固有でない他のステップまたはユニットを含み得る。
【００３６】
従来技術では、一例として既存のロングタームエボリューション（Ｌｏｎｇ  Ｔｅｒｍ  Ｅｖｏｌｕｔｉｏｎ、ＬＴＥ）システムを使用すると、ＬＴＥは、（３ＧＨｚ以下であり、事業者の周波数スペクトルが異なり得る）低周波数帯域において動作し、サブキャリア離間は１５ｋＨｚであり、各サブフレームは１４個のＯＦＤＭシンボルを含み、１つのサブフレームの持続時間は１ｍｓである。基準信号挿入が図１に示されている。基準信号Ｒ５は、１つのサブフレーム中で４つのＯＦＤＭシンボルの等しい間隔において配置される。具体的には、（ＬＴＥにおけるデータ部分について、各サブフレーム中の最初の３つのＯＦＤＭシンボルは制御チャネルを送信するために使用され、制御チャネルの受信は共通パイロット（ＣＲＳ、ｃｅｌｌ−ｓｐｅｃｉｆｉｃ  ｒｅｆｅｒｅｎｃｅ ｓｉｇｎａｌ、セル固有基準信号）に基づき、基準信号は、時間に関して２つのＯＦＤＭシンボルの間隔において挿入され、基準信号は、周波数に関して３つのサブキャリアの間隔において挿入される。
【００３７】
ＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ、直交周波数分割多重化）を使用して広帯域チャネルをフラットフェージングサブチャネルに分割して、広帯域チャネル中で起こる周波数選択性フェージングに効果的に適応することができ、それにより、システムは極めて高いスペクトル効率を達成する。現在、ＯＦＤＭは通信システムにおいて最も一般的な多重化方式であり、将来の５Ｇシステムも、多重化方式としてＯＦＤＭまたはＯＦＤＭベースの改良された解決策を使用するであろう。将来の５Ｇシステムは、異なる周波数において動作し、異なるサブキャリア離間構成を使用し得る。高周波数および低周波数システムにおいて固定マッピング方法が使用される場合、基準信号の密度は過大に低いかまたは高い。たとえば、図１の方法は、高周波数と低周波数の両方のために使用される。低周波数システムでは、大きい問題はない。しかし、高周波数システムでは、比較的大きいサブキャリア離間が使用されるので、基準信号の間隔が大きくなる。高周波数システムでは、一例として１２０ｋＨｚのサブキャリア離間が使用される。この場合、基準信号の間隔は、周波数領域ではＬＴＥシステムの間隔の８倍ほど大きい。高周波数チャネルは、ある程度まで周波数選択性を依然として有し、結果的に、基準信号の分配が周波数領域では過大に疎になる。基準信号の間隔は、時間に関してＬＴＥシステムのそれの１／８にすぎない。高周波数システムは主に低速シナリオに適用され、高周波数システムによってサポートされる速度は、低周波数システムによってサポートされる速度よりもはるかに低く、時間に関して基準信号の過大に小さい間隔を生じる、と概して考えられる。
【００３８】
本発明の一実施形態が適用されたシナリオの図が図２に示されている。本発明は、送信端部および受信端部を含む、通信システムに主に適用可能である。図２は、本発明が適用されたシナリオの概略図にすぎないことを理解されたい。送信端部と受信端部との間の送信は、電波を使用することによって実施され得るか、または可視光、レーザー、赤外光、もしくは光ファイバーなどの伝送媒体を使用することによって実施され得る。送信端部に関係するネットワーク要素は、基地局、ワイヤレスアクセスポイント、またはユーザ機器ＵＥを含み得る。受信端部に関係するネットワーク要素は、ユーザ機器、端末、移動局（ｍｏｂｉｌｅ  ｓｔａｔｉｏｎ、ＭＳ）、基地局などを含み得る。実施態様では、送信端部は基地局であり、受信端部はユーザ機器であるか、または送信端部はユーザ機器であり、受信端部は基地局である。
【００３９】
本発明の技術的解決策では、基地局は、ＯＦＤＭサブキャリア離間構成パラメータ、および／または現在の動作周波数、および／または現在サポートされる移動速度などの判定された情報に基づいて、周波数領域および時間領域中の基準信号の間隔を判定し、その間隔に基づいて、現在のＵＥのためにスケジュールされた時間周波数リソース上で基準信号をマッピングする。ＵＥは、ＯＦＤＭサブキャリア離間構成パラメータ、および／または現在の動作周波数、および／または現在サポートされる移動速度などの情報に基づいて、周波数領域および時間領域中の基準信号の間隔を判定し、その間隔に基づいて、基地局によって指定された時間周波数リソース範囲内の対応する時間周波数リソース上で基準信号を受信する。従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。
【００４０】
以下で、実施形態を使用することによって本発明の技術的解決策についてさらに説明する。図３に示されているように、図３は、本発明の一実施形態によるリソースマッピング方法の一実施形態の概略図である。ＬＴＥ通信におけるアップリンク受信および送信処理、すなわち、送信端部がＵＥであり、受信端部が基地局であることが、ここでの説明のための一例として使用される。本方法は以下のステップを含む。
【００４１】
３０１．基地局が、ユーザ機器のためにスケジュールされた時間周波数リソースを判定する。
【００４２】
３０２．基地局がユーザ機器にアップリンクスケジューリングシグナリングを送り、アップリンクスケジューリングシグナリングは、スケジュールされた時間周波数リソースを含む。
【００４３】
このステップは、以下のようにステップａおよびステップｂを含み得る。
【００４４】
ａ．基地局がユーザ機器にアップリンクスケジューリングシグナリングを送り、アップリンクスケジューリングシグナリングは、スケジュールされた時間周波数リソースを含む。
【００４５】
ｂ．ユーザ機器が、基地局によって送られたアップリンクスケジューリングシグナリングを受信し、アップリンクスケジューリングシグナリングは、スケジュールされた時間周波数リソースを含む。
【００４６】
本発明のこの実施形態では、基地局は、ユーザ機器のためにスケジュールされた時間周波数リソースを判定し、基地局は、ユーザ機器にアップリンクスケジューリングシグナリングを送り、アップリンクスケジューリングシグナリングは、スケジュールされた時間周波数リソースを含み、ユーザ機器は、基地局によって送られたアップリンクスケジューリングシグナリングを受信し、アップリンクスケジューリングシグナリングは、スケジュールされた時間周波数リソースを含む。
【００４７】
３０３．ユーザ機器が、サブキャリア離間構成パラメータ情報、現在の動作周波数情報、現在サポートされる移動速度、およびスケジュールされた帯域幅情報のうちの少なくとも１つを取得する。
【００４８】
本発明のこの実施形態では、ユーザ機器は、基地局によって送られたアップリンクスケジューリングシグナリングを受信し、ユーザ機器は、スケジュールされた時間周波数リソースと、サブキャリア離間構成パラメータ情報、現在の動作周波数情報、現在サポートされる移動速度、およびスケジュールされた帯域幅情報のうちの少なくとも１つとを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【００４９】
３０４．ユーザ機器が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【００５０】
本発明のこの実施形態では、ユーザ機器は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。基準信号をマッピングするための時間周波数リソースロケーションを判定した後に、ユーザ機器は、時間周波数リソースロケーションにおいて基準信号をマッピングし、スケジュールされた時間周波数リソースの範囲内の別のリソース上でデータをマッピングする。
【００５１】
これは、特に以下を含み得る。
【００５２】
（１）ユーザ機器が、サブキャリア離間構成パラメータ情報、現在の動作周波数情報、現在サポートされる移動速度、およびスケジュールされた帯域幅情報のうちの少なくとも１つに基づいて、基準信号の間隔を判定し、ユーザ機器が、基準信号の間隔に基づいて、基準信号をマッピングするための時間周波数リソースロケーションを判定する。
【００５３】
（２）基準信号をマッピングするための時間周波数リソースロケーションは（ｋ，ｌ）によって表され、ｋは基準信号のサブキャリア番号であり、ｌは基準信号の直交周波数分割多重化（ＯＦＤＭ）シンボル番号であり、
〔１〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定し、ＯＦＤＭシンボル番号ｌは第１のプリセット値であるか、または
〔２〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定し、サブキャリア番号ｋは第２のプリセット値であるか、または
〔３〕ユーザ機器が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定する。
【００５４】
本発明のこの実施形態では、基準信号の間隔は、時間次元における間隔であり得るか、または周波数次元における間隔であり得る。以下で、時間次元における間隔および周波数次元における間隔について別々に説明する。
【００５５】
Ａ：時間次元における間隔は、サブフレーム、タイムスロット、またはさらにＯＦＤＭシンボルの単位であり得る。タイムスロットおよびサブフレームはいくつかのＯＦＤＭシンボルを含む。たとえば、ＬＴＥでは、１つのサブフレームは１４個のＯＦＤＭシンボルを含み、１つのタイムスロットは７つのＯＦＤＭシンボルを含み、すなわち、１つのサブフレームは２つのタイムスロットを含む。
【００５６】
たとえば、サブキャリア離間は１５×２ｎｋＨｚである。一例としてＯＦＤＭシンボルが使用された場合、間隔の値は、この場合、３×２ｎ個のＯＦＤＭシンボルであり得る。一例としてサブフレームが使用された場合、間隔の値は、この場合、２ｎ−２個のサブフレームであり得る。間隔中に含まれるサブフレームの量が１０進小数であるとき、それは、１つのサブフレームが、基準信号受信および送信のために複数のリソースを含むことを示すことに留意されたい。
【００５７】
加えて、基準信号の間隔の値は、代替として、サブキャリア離間、動作周波数、サポートされる移動速度、スケジュールされた帯域幅情報などに基づいてテーブルを照会することによって判定され得ることも理解されたい。ここで、テーブルは、表１に記載されているように、一例としてＯＦＤＭシンボルを使用することによって提供される。動作周波数が同じであるとき、実際の動作シナリオに応じて異なる移動速度が判定される。たとえば、３ｋｍ／ｈはダウンリンクアクセスに対応しており、１ｋｍ／ｈはバックホールリンクシナリオに対応している。
【００５８】
【表１】
2020502839.tif 000014
【００５９】
Ｂ：周波数次元における間隔は、サブキャリアまたはサブバンドの単位であり得る。サブバンドは、いくつかの連続するサブキャリアを含む。
【００６０】
さらに、以下で、本発明のこの実施形態では、基準信号に対応する時間周波数リソースロケーションが、どのように時間次元における取得された間隔または周波数次元における取得された間隔に基づいて取得されるかについて説明する。
【００６１】
（１）基準信号の間隔が、時間次元における間隔を含む。
【００６２】
〔１〕時間次元における間隔がＯＦＤＭシンボルの単位であり、サブキャリア離間構成パラメータ情報が、スケジュールされた時間周波数リソースのＯＦＤＭシンボル番号を含み、
時間領域において、間隔がＯＦＤＭシンボルの単位であるとき、ＯＦＤＭシンボル番号を判定するためにモジュロ方法が使用され得る。
ｍｏｄ（ｎ，Ｎ）＝ａ（１）、ただし、
ｎは、スケジュールされた時間周波数リソースのＯＦＤＭシンボル番号であり、Ｎは、時間次元における上記の判定された間隔を表し、ａはプリセット値であり、値範囲は０≦ａ＜Ｎである。この場合、式（１）を満たすｎのすべての値は、マッピングされるべき基準信号の判定されるべきＯＦＤＭシンボル番号ｌである。
【００６３】
〔２〕時間次元における間隔がサブフレームの単位であるとき、サブキャリア離間構成パラメータ情報は、スケジュールされた時間周波数リソースのサブフレーム番号を含み、
式（１）が依然として使用されるが、ｎは、スケジュールされた時間周波数リソースのサブフレーム番号を表し、式（１）を満たすｎのすべての値が判定された後に、ｌがさらに判定される。
ｌ＝｛（ｎ−１）×Ｌ＋ｌ１，（ｎ−１）×Ｌ＋ｌ２，…，（ｎ−１）×Ｌ＋ｌＡ｝  （２）、ただし、
Ｌは、各サブフレーム中に含まれるＯＦＤＭシンボルの量を表し、Ａは、基準信号が含まれる各サブフレーム中に、時間次元において含まれる基準信号の量を表し、ｌはここではセットであり、ｌ１、ｌ２、…、およびｌＡは一連のプリセット値であることを理解されたい。
【００６４】
（２）基準信号の間隔が、周波数次元における間隔を含む。
【００６５】
〔１〕周波数次元における間隔はサブキャリアの単位であり、サブキャリア離間構成パラメータ情報は、スケジュールされた時間周波数リソースのサブキャリア番号を含み、
周波数領域において、周波数次元における間隔がサブキャリアの単位であるとき、サブキャリア番号を判定するために、式（１）に示されているモジュロ方法が使用され得る。
ｍｏｄ（ｍ，Ｍ）＝ｂ  （３）、ただし、
ｍは、スケジュールされた時間周波数リソースのサブキャリア番号であり、Ｍは、周波数次元における上記の判定された間隔を表し、ｂはプリセット値であり、値範囲は０≦ｂ＜Ｍである。この場合、式（３）を満たすｍのすべての値は、マッピングされるべき基準信号の判定されるべきサブキャリア番号ｋである。
【００６６】
〔２〕周波数次元における間隔がサブバンドの単位であるとき、サブキャリア離間構成パラメータ情報は、スケジュールされた時間周波数リソースのサブバンド番号を含み、
式（３）が依然として使用され得るが、ｍは、スケジュールされた時間周波数リソースのサブバンド番号を表し、式（３）を満たすｍのすべての値が判定された後に、ｋがさらに判定される。
ｋ＝｛（ｍ−１）×Ｋ＋ｋ１，（ｍ−１）×Ｋ＋ｋ２，…，（ｍ−１）×Ｋ＋ｋＢ｝  （４）、ただし、
Ｋは、各サブバンド中に含まれるサブキャリアの量を表し、Ｂは、基準信号が含まれる各サブバンド中に、周波数次元において含まれる基準信号の量を表し、ｋはここではセットであり、ｋ１、ｋ２、…およびｋＢは一連のプリセット値であることを理解されたい。
【００６７】
（３）ユーザ機器が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【００６８】
たとえば、従来技術では、ＬＴＥシステムにおけるサブキャリア離間は１５ｋＨｚであり、各サブフレームは１４個のＯＦＤＭシンボルを含み、１つのサブフレームの持続時間は１ｍｓである。基準信号は、１つのサブフレーム中で４つのＯＦＤＭシンボルの等しい間隔において配置される。この場合、５Ｇおよび６Ｇなどの通信システムでは、サブキャリア離間が１２０ｋＨｚである場合、１２０ｋＨｚは１５ｋＨｚの８倍ほど大きい。固定マッピング方法が使用された場合、基準信号の間隔は、周波数領域ではＬＴＥシステムの間隔の８倍ほど大きく、結果的に、基準信号の分配が周波数領域では過大に疎になる。基準信号の間隔は、時間に関してＬＴＥシステムのそれの１／８にすぎず、時間に関して基準信号の過大に小さい間隔を生じる。基準信号は、周波数に関して３つのサブキャリアの間隔において挿入され、基準信号は、時間に関して２つのＯＦＤＭシンボルの間隔において挿入される。詳細については、表１を参照されたい。
【００６９】
本発明のこの実施形態では、基準信号をマッピングするための時間周波数リソースロケーションは、プリセットルールを使用することによって（静的構成を使用することによって）判定され得る。サブキャリア離間が１２０ｋＨｚであるとき、基準信号は、周波数に関して３×８＝２４個のサブキャリアの間隔において挿入され、基準信号は、時間に関して２／８＝０．２５個のＯＦＤＭシンボルの間隔において挿入される。これが、基準信号をマッピングするための判定された時間周波数リソースロケーションである。
【００７０】
３０５．基地局が、サブキャリア離間構成パラメータ情報、現在の動作周波数情報、現在サポートされる移動速度、およびスケジュールされた帯域幅情報のうちの少なくとも１つを取得する。
【００７１】
本発明のこの実施形態では、基地局は、サブキャリア離間構成パラメータ情報、現在の動作周波数情報、現在サポートされる移動速度、およびスケジュールされた帯域幅情報のうちの少なくとも１つを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【００７２】
３０６．基地局が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００７３】
本発明のこの実施形態では、基地局は、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定し、そのロケーションにおいて基準信号を受信する。これは、特に以下を含み得る。
【００７４】
（１）基地局が、サブキャリア離間構成パラメータ情報、現在の動作周波数情報、現在サポートされる移動速度、およびスケジュールされた帯域幅情報のうちの少なくとも１つに基づいて、基準信号の間隔を判定し、基地局が、基準信号の間隔に基づいて、基準信号を受信するための時間周波数リソースロケーションを判定する。
【００７５】
（２）基準信号を受信するための時間周波数リソースロケーションは（ｋ，ｌ）によって表され、ｋは基準信号のサブキャリア番号であり、ｌは基準信号の直交周波数分割多重化（ＯＦＤＭ）シンボル番号であり、
〔１〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定し、ＯＦＤＭシンボル番号ｌは第１のプリセット値（すなわち、ｌは固定値である）であるか、または
〔２〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定し、サブキャリア番号ｋは第２のプリセット値（すなわち、ｋは固定値である）であるか、または
〔３〕基地局が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定する。
【００７６】
（３）基地局が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００７７】
基準信号を受信するための時間周波数リソースロケーションを判定するステップは、基準信号をマッピングするための時間周波数リソースロケーションを判定するステップと同様であることに留意されたい。詳細な処理については、ステップ３０４を参照されたい。詳細について、ここで再び説明されない。ユーザ機器によって、基準信号をマッピングするための時間周波数リソースロケーションを判定するステップ、および基地局によって、基準信号を受信するための時間周波数リソースロケーションを判定するステップの時間シーケンスは特に限定されない。
【００７８】
３０７．ユーザ機器が基地局に基準信号を送る。
【００７９】
本発明のこの実施形態では、このステップは、以下のようにステップｃおよびステップｄを含み得る。
【００８０】
ｃ．ユーザ機器が、時間周波数リソースロケーションにおいて基準信号をマッピングする。
【００８１】
本発明のこの実施形態では、ユーザ機器は、時間周波数リソースロケーションにおいて基準信号をマッピングし、スケジュールされた時間周波数リソースの範囲内の別のリソース上でデータをマッピングする。さらに、マッピングが完了した後に、ユーザ機器は、基地局に基準信号およびデータを送る。
【００８２】
ｄ．基地局が、時間周波数リソースロケーションにおいて、ユーザ機器によって送られた基準信号を受信する。
【００８３】
本発明のこの実施形態では、基地局は、基準信号を受信するための判定された時間周波数リソースロケーションにおいて、ユーザ機器によって送られた基準信号を受信し、スケジュールされた時間周波数リソースの範囲内の別のリソース上で送られたデータを受信する。
【００８４】
３０８．基地局が、受信された基準信号に基づいてチャネル推定を実施する。
【００８５】
本発明のこの実施形態では、基地局は、受信された基準信号に基づいてチャネル推定を実施し、推定されたチャネル状態情報に基づいてスケジュールされた時間周波数リソースの範囲内の別のリソース上でデータを受信し復調する。
【００８６】
本発明のこの実施形態では、従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。従来技術への改善は以下の通りである。従来技術では、フルバンドアクセスは考慮されず、システム設計において一意の固定の動作周波数があると仮定され、１つのタイプのサブキャリア離間が、動作周波数、ハードウェア性能、およびチャネルシナリオに基づいて選択される。そのような方式では、周波数領域および時間領域における基準信号の密度は固定である。本発明のこの実施形態では、アップリンクスケジューリング処理について説明される。周波数領域および時間領域中の基準信号の密度は可変であり、周波数領域および時間領域中の基準信号の密度は、サブキャリア離間構成パラメータを含む情報に基づいて判定され得、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【００８７】
図４に示されているように、図４は、本発明の一実施形態によるリソースマッピング方法の別の実施形態の概略図である。ＬＴＥ通信におけるアップリンク受信および送信処理、すなわち、送信端部がＵＥであり、受信端部が基地局であることが、ここでの説明のための一例として使用される。本方法は以下のステップを含む。
【００８８】
４０１．基地局が、ユーザ機器のためにスケジュールされた時間周波数リソースを判定する。
【００８９】
４０２．基地局がユーザ機器にアップリンクスケジューリングシグナリングを送り、アップリンクスケジューリングシグナリングは、スケジュールされた時間周波数リソースを含む。
【００９０】
４０３．基地局が、サブキャリア離間構成パラメータ情報、現在の動作周波数情報、現在サポートされる移動速度、およびスケジュールされた帯域幅情報のうちの少なくとも１つを取得する。
【００９１】
４０４．基地局が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【００９２】
本発明のこの実施形態では、ステップ４０１および４０２はステップ３０１および３０２と同じであり、ステップ４０３および４０４はステップ３０５および３０６と同じである。詳細について、ここで再び説明されない。
【００９３】
４０５．基地局がユーザ機器に基準信号ロケーション構成情報を送る。
【００９４】
本発明のこの実施形態では、このステップは、以下のようにステップｅおよびステップｆを含み得る。
【００９５】
ｅ．基地局がユーザ機器に基準信号ロケーション構成情報を送る。
【００９６】
本発明のこの実施形態では、基地局は、最初に基準信号ロケーション構成情報を判定し、次いで、ユーザ機器に基準信号ロケーション構成情報を送る。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【００９７】
ｆ．ユーザ機器が基準信号ロケーション構成情報を受信する。
【００９８】
本発明のこの実施形態では、ユーザ機器は基準信号ロケーション構成情報を受信する。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【００９９】
４０６．ユーザ機器が、基準信号ロケーション構成情報に基づいて、基準信号をマッピングするための時間周波数リソースロケーションを判定する。
【０１００】
本発明のこの実施形態では、ユーザ機器は、基準信号ロケーション構成情報に基づいて、基準信号をマッピングするための時間周波数リソースロケーションを判定し、ユーザ機器は、時間周波数リソースロケーションにおいて基準信号をマッピングする。詳細な判定方法については、図３に示されている実施形態のステップ３０４中の式（１）から式（４）を参照されたい。詳細について、ここで再び説明されない。
【０１０１】
４０７．ユーザ機器が基地局に基準信号を送る。
【０１０２】
本発明のこの実施形態では、このステップは、以下のようにステップｇおよびステップｈを含み得る。
【０１０３】
ｇ．ユーザ機器が基地局に基準信号を送る。
【０１０４】
本発明のこの実施形態では、判定された時間周波数リソースロケーションにおいて基準信号をマッピングした後に、ユーザ機器は、時間周波数リソースロケーションにおいて基地局に基準信号を送り、スケジュールされた時間周波数リソースの範囲内の別のリソース上でデータを送る。
【０１０５】
ｈ．基地局が、基準信号を受信するための判定された時間周波数リソースロケーションにおいて、ユーザ機器によって送られた基準信号を受信する。
【０１０６】
本発明のこの実施形態では、基地局は、基準信号を受信するための判定された時間周波数リソースロケーションにおいて、ユーザ機器によって送られた基準信号を受信し、スケジュールされた時間周波数リソースの範囲内の別のリソース上で送られたデータを受信する。
【０１０７】
４０８．基地局が、受信された基準信号に基づいてチャネル推定を実施する。
【０１０８】
本発明のこの実施形態では、ステップ４０８は、図３に示されている実施形態のステップ３０８と同じである。詳細について、ここで再び説明されない。
【０１０９】
本発明のこの実施形態は、半静的または動的な構成が実施される実施形態である。基地局は、ユーザ機器に基準信号ロケーション構成情報を送る必要があり、ユーザ機器は、基準信号ロケーション構成情報に基づいて、基準信号をマッピングするための時間周波数リソースロケーションを判定し、基地局は、基準信号を受信するための時間周波数リソースロケーションが変化しないと判定する。
【０１１０】
図５に示されているように、図５は、本発明の一実施形態によるリソースマッピング方法の別の実施形態の概略図である。ＬＴＥ通信におけるダウンリンク受信および送信処理、すなわち、送信端部が基地局であり、受信端部がＵＥであることが、ここでの説明のための一例として使用される。本方法は以下のステップを含む。
【０１１１】
５０１．基地局が、ユーザ機器のためにスケジュールされた時間周波数リソースを判定する。
【０１１２】
５０２．基地局がユーザ機器にダウンリンクスケジューリングシグナリングを送り、ダウンリンクスケジューリングシグナリングは、スケジュールされた時間周波数リソースを含む。
【０１１３】
このステップは、以下のようにステップａおよびステップｂを含み得る。
【０１１４】
ａ．基地局がユーザ機器にダウンリンクスケジューリングシグナリングを送り、ダウンリンクスケジューリングシグナリングは、スケジュールされた時間周波数リソースを含む。
【０１１５】
ｂ．ユーザ機器が、基地局によって送られたダウンリンクスケジューリングシグナリングを受信し、ダウンリンクスケジューリングシグナリングは、スケジュールされた時間周波数リソースを含む。
【０１１６】
本発明のこの実施形態では、基地局は、最初に、ユーザ機器ＵＥのダウンリンクサービスによって使用されるべき時間周波数リソースを判定し、次いで、基地局は、基地局によってサービスされるＵＥのチャネル状態、サービス要求ステータス、現在のリソース使用などに基づいてスケジューリングを完了し、各ＵＥのための対応する送信アルゴリズム、および各ＵＥによって使用されるべき時間周波数リソースを判定する。基地局はユーザ機器にダウンリンクスケジューリングシグナリングを送り、ダウンリンクスケジューリングシグナリングは、スケジュールされた時間周波数リソースを含む。ＵＥは、基地局によって送られたダウンリンクスケジューリングシグナリングを受信し、ダウンリンクスケジューリングシグナリングは、スケジュールされた時間周波数リソースを含む。
【０１１７】
５０３．基地局が、サブキャリア離間構成パラメータ情報、現在の動作周波数情報、現在サポートされる移動速度、およびスケジュールされた帯域幅情報のうちの少なくとも１つを取得する。
【０１１８】
本発明のこの実施形態では、基地局は、ユーザ機器のためにスケジュールされた時間周波数リソースに基づいて、サブキャリア離間構成パラメータ情報、現在の動作周波数情報、現在サポートされる移動速度、およびスケジュールされた帯域幅情報のうちの少なくとも１つを取得する。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【０１１９】
５０４．基地局が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１２０】
本発明のこの実施形態では、基地局は、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。基準信号をマッピングするための時間周波数リソースロケーションを判定した後に、基地局は、時間周波数リソースロケーションにおいて基準信号をマッピングし、スケジュールされた時間周波数リソースの範囲内の別のリソース上でデータをマッピングする。
【０１２１】
これは、特に以下を含み得る。
【０１２２】
（１）基地局が、サブキャリア離間構成パラメータ情報、現在の動作周波数情報、現在サポートされる移動速度、およびスケジュールされた帯域幅情報のうちの少なくとも１つに基づいて、基準信号の間隔を判定し、基地局が、基準信号の間隔に基づいて、基準信号をマッピングするための時間周波数リソースロケーションを判定する。
【０１２３】
（２）基準信号をマッピングするための時間周波数リソースロケーションは（ｋ，ｌ）によって表され、ｋは基準信号のサブキャリア番号であり、ｌは基準信号の直交周波数分割多重化（ＯＦＤＭ）シンボル番号であり、
〔１〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定し、ＯＦＤＭシンボル番号ｌは第１のプリセット値（すなわち、ｌは固定値である）であるか、または
〔２〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定し、サブキャリア番号ｋは第２のプリセット値（すなわち、ｋは固定値である）であるか、または
〔３〕基地局が、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定する。
【０１２４】
本発明のこの実施形態では、基準信号の間隔は、時間次元における間隔であり得るか、または周波数次元における間隔であり得る。以下で、時間次元における間隔および周波数次元における間隔について別々に説明する。
【０１２５】
Ａ：時間次元における間隔は、サブフレーム、タイムスロット、またはさらにＯＦＤＭシンボルの単位であり得る。タイムスロットおよびサブフレームはいくつかのＯＦＤＭシンボルを含む。たとえば、ＬＴＥでは、１つのサブフレームは１４個のＯＦＤＭシンボルを含み、１つのタイムスロットは７つのＯＦＤＭシンボルを含み、すなわち、１つのサブフレームは２つのタイムスロットを含む。
【０１２６】
たとえば、サブキャリア離間は１５×２ｎｋＨｚである。一例としてＯＦＤＭシンボルが使用された場合、間隔の値は、この場合、３×２ｎ個のＯＦＤＭシンボルであり得る。一例としてサブフレームが使用された場合、間隔の値は、この場合、２ｎ−２個のサブフレームであり得る。間隔中に含まれるサブフレームの量が１０進小数であるとき、それは、１つのサブフレームが、基準信号受信および送信のために複数のリソースを含むことを示すことに留意されたい。
【０１２７】
加えて、基準信号の間隔の値は、代替として、サブキャリア離間、動作周波数、サポートされる移動速度、スケジュールされた帯域幅情報などに基づいてテーブルを照会することによって判定され得ることも理解されたい。ここで、テーブルは、表１に記載されているように、一例としてＯＦＤＭシンボルを使用することによって提供される。動作周波数が同じであるとき、実際の動作シナリオに応じて異なる移動速度が判定される。たとえば、３ｋｍ／ｈはダウンリンクアクセスに対応しており、１ｋｍ／ｈはバックホールリンクシナリオに対応している。
【０１２８】
Ｂ：周波数次元における間隔は、サブキャリアまたはサブバンドの単位であり得る。サブバンドはいくつかのサブキャリアを含む。
【０１２９】
さらに、以下で、本発明のこの実施形態では、基準信号に対応する時間周波数リソースロケーションが、どのように時間次元における取得された間隔または周波数次元における取得された間隔に基づいて取得されるかについて説明する。
【０１３０】
（１）基準信号の間隔が、時間次元における間隔を含む。
【０１３１】
〔１〕時間次元における間隔がＯＦＤＭシンボルの単位であり、サブキャリア離間構成パラメータ情報が、スケジュールされた時間周波数リソースのＯＦＤＭシンボル番号を含み、
時間領域において、間隔がＯＦＤＭシンボルの単位であるとき、ＯＦＤＭシンボル番号を判定するためにモジュロ方法が使用され得る。
ｍｏｄ（ｎ，Ｎ）＝ａ  （１）、ただし、
ｎは、スケジュールされた時間周波数リソースのＯＦＤＭシンボル番号であり、Ｎは、時間次元における上記の判定された間隔を表し、ａはプリセット値であり、値範囲は０≦ａ＜Ｎである。この場合、式（１）を満たすｎのすべての値は、マッピングされるべき基準信号の判定されるべきＯＦＤＭシンボル番号ｌである。
【０１３２】
〔２〕時間次元における間隔がサブフレームの単位であるとき、サブキャリア離間構成パラメータ情報は、スケジュールされた時間周波数リソースのサブフレーム番号を含み、
式（１）が依然として使用されるが、ｎは、スケジュールされた時間周波数リソースのサブフレーム番号を表し、式（１）を満たすｎのすべての値が判定された後に、ｌがさらに判定される。
ｌ＝｛（ｎ−１）×Ｌ＋ｌ１，（ｎ−１）×Ｌ＋ｌ２，…，（ｎ−１）×Ｌ＋ｌＡ｝  （２）、ただし、
Ｌは、各サブフレーム中に含まれるＯＦＤＭシンボルの量を表し、Ａは、基準信号を含む各サブフレーム中の、時間次元における含まれた基準信号の量を表し、ｌはここではセットであり、ｌ１、ｌ２、…、およびｌＡは一連のプリセット値であることを理解されたい。
【０１３３】
（２）基準信号の間隔が、周波数次元における間隔を含む。
【０１３４】
〔１〕周波数次元における間隔はサブキャリアの単位であり、サブキャリア離間構成パラメータ情報は、スケジュールされた時間周波数リソースのサブキャリア番号を含み、
周波数領域において、周波数次元における間隔がサブキャリアの単位であるとき、サブキャリア番号を判定するために、式（１）に示されているモジュロ方法が使用され得る。
ｍｏｄ（ｍ，Ｍ）＝ｂ  （３）、ただし、
ｍは、スケジュールされた時間周波数リソースのサブキャリア番号であり、Ｍは、周波数次元における上記の判定された間隔を表し、ｂはプリセット値であり、値範囲は０≦ｂ＜Ｍである。この場合、式（３）を満たすｍのすべての値は、マッピングされるべき基準信号の判定されるべきサブキャリア番号ｋである。
【０１３５】
〔２〕周波数次元における間隔がサブバンドの単位であるとき、サブキャリア離間構成パラメータ情報は、スケジュールされた時間周波数リソースのサブバンド番号を含み、
式（３）が依然として使用され得るが、ｍは、スケジュールされた時間周波数リソースのサブバンド番号を表し、式（３）を満たすｍのすべての値が判定された後に、ｋがさらに判定される。
ｋ＝｛（ｍ−１）×Ｋ＋ｋ１，（ｍ−１）×Ｋ＋ｋ２，…，（ｍ−１）×Ｋ＋ｋＢ｝  （４）、ただし、
Ｋは、各サブバンド中に含まれるサブキャリアの量を表し、Ｂは、基準信号が含まれる各サブバンド中に、周波数次元において含まれる基準信号の量を表し、ｋはここではセットであり、ｋ１、ｋ２、…およびｋＢは一連のプリセット値であることを理解されたい。
【０１３６】
（３）基地局が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１３７】
たとえば、従来技術では、ＬＴＥシステムにおけるサブキャリア離間は１５ｋＨｚであり、各サブフレームは１４個のＯＦＤＭシンボルを含み、１つのサブフレームの持続時間は１ｍｓである。基準信号は、１つのサブフレーム中で４つのＯＦＤＭシンボルの等しい間隔において配置される。この場合、５Ｇおよび６Ｇなどの通信システムでは、サブキャリア離間が１２０ｋＨｚである場合、１２０ｋＨｚは１５ｋＨｚの８倍ほど大きい。固定マッピング方法が使用された場合、基準信号の間隔は、周波数領域ではＬＴＥシステムの間隔の８倍ほど大きく、結果的に、基準信号の分配が周波数領域では過大に疎になる。基準信号の間隔は、時間に関してＬＴＥシステムのそれの１／８にすぎず、時間に関して基準信号の過大に小さい間隔を生じる。基準信号は、周波数に関して３つのサブキャリアの間隔において挿入され、基準信号は、時間に関して２つのＯＦＤＭシンボルの間隔において挿入される。詳細については、表１を参照されたい。
【０１３８】
本発明のこの実施形態では、基準信号をマッピングするための時間周波数リソースロケーションは、プリセットルールを使用することによって（静的構成を使用することによって）判定され得る。サブキャリア離間が１２０ｋＨｚであるとき、基準信号は、周波数に関して３×８＝２４個のサブキャリアの間隔において挿入され、基準信号は、時間に関して２／８＝０．２５個のＯＦＤＭシンボルの間隔において挿入される。これが、基準信号をマッピングするための判定された時間周波数リソースロケーションである。
【０１３９】
５０５．ユーザ機器が、サブキャリア離間構成パラメータ情報、現在の動作周波数情報、現在サポートされる移動速度、およびスケジュールされた帯域幅情報のうちの少なくとも１つを取得する。
【０１４０】
本発明のこの実施形態では、ユーザ機器は、基地局によって送られたダウンリンクスケジューリングシグナリングを受信し、ダウンリンクスケジューリングシグナリングは、スケジュールされた時間周波数リソースを含み、ユーザ機器は、サブキャリア離間構成パラメータ情報、現在の動作周波数情報、現在サポートされる移動速度、およびスケジュールされた帯域幅情報のうちの少なくとも１つを取得した。ここでのサブキャリア離間構成パラメータ情報は、スケジュールされた時間周波数リソースのＯＦＤＭシンボル番号、および／またはサブフレーム番号、および／またはサブキャリア番号、および／またはサブバンド番号などの情報を含み得る。
【０１４１】
５０６．ユーザ機器が、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４２】
本発明のこの実施形態では、ＵＥは、サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４３】
ここにおいて静的構成が使用されたとき、基準信号を受信するための時間周波数リソースロケーションをＵＥによって判定するための方法は、基準信号を送るための時間周波数リソースロケーションを基地局によって判定するための方法と同じであることを理解されたく、特に以下の通りである。
【０１４４】
（１）ユーザ機器が、サブキャリア離間構成パラメータ情報、現在の動作周波数情報、現在サポートされる移動速度、およびスケジュールされた帯域幅情報のうちの少なくとも１つに基づいて、基準信号の間隔を判定し、ユーザ機器が、基準信号の間隔に基づいて、基準信号を受信するための時間周波数リソースロケーションを判定する。
【０１４５】
（２）基準信号を受信するための時間周波数リソースロケーションは（ｋ，ｌ）によって表され、ｋは基準信号のサブキャリア番号であり、ｌは基準信号の直交周波数分割多重化（ＯＦＤＭ）シンボル番号であり、
〔１〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定し、ＯＦＤＭシンボル番号ｌは第１のプリセット値であるか、または
〔２〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定し、サブキャリア番号ｋは第２のプリセット値であるか、または
〔３〕ユーザ機器が、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定する。
【０１４６】
（３）ユーザ機器が、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定する。
【０１４７】
基準信号を受信するための時間周波数リソースロケーションを判定するステップは、基準信号をマッピングするための時間周波数リソースロケーションを判定するステップと同様であることに留意されたい。詳細な処理については、ステップ５０４を参照されたい。詳細について、ここで再び説明されない。ユーザ機器によって、基準信号を受信するための時間周波数リソースロケーションを判定するステップ、および基地局によって、基準信号をマッピングするための時間周波数リソースロケーションを判定するステップの時間シーケンスは特に限定されない。
【０１４８】
５０７．基地局がユーザ機器に基準信号を送る。
【０１４９】
本発明のこの実施形態では、このステップは、以下のようにステップｃおよびステップｄを含み得る。
【０１５０】
ｃ．基地局が、時間周波数リソースロケーションにおいてユーザ機器に基準信号を送る。
【０１５１】
本発明のこの実施形態では、基地局は、ＵＥのためにスケジュールされた時間周波数リソースの範囲内の判定された時間周波数リソースロケーションにおいて各ＵＥに基準信号を送り、スケジューリング範囲内の別のリソース上でデータを送る。基地局は、判定された時間周波数リソースロケーション（ｋ，ｌ）において基準信号をマッピングし、次いで基準信号を送り得るか、またはプリセットルールに従って判定された基準信号の密度に基づいて基準信号をマッピングし、次いで基準信号を送り得る。
【０１５２】
ｄ．ユーザ機器が、時間周波数リソースロケーションにおいて、基地局によって送られた基準信号を受信する。
【０１５３】
本発明のこの実施形態では、基準信号を受信するための時間周波数リソースロケーションを判定した後に、ユーザ機器は、時間周波数リソースロケーションにおいて、基地局によって送られた基準信号を受信し、スケジュールされた時間周波数リソースの範囲内の別のリソース上で送られたデータを受信する。
【０１５４】
５０８．ユーザ機器が、受信された基準信号に基づいてチャネル推定を実施する。
【０１５５】
本発明のこの実施形態では、ＵＥは、受信された基準信号に基づいてチャネル推定を実施し、推定されたチャネル状態情報に基づいてスケジュールされた時間周波数リソースの範囲内の別のリソース上でデータを受信し復調する。
【０１５６】
本発明のこの実施形態では、従来技術と比較して、本発明において提供される基準信号リソースマッピング方法は、異なるシステム動作周波数がＯＦＤＭシンボルの異なる持続時間を生じるとき、基準信号の密度が、対応する動作周波数におけるチャネルのコヒーレンス帯域幅およびコヒーレンス時間に依然として一致することを可能にする。本発明のこの実施形態では、従来技術への改善は以下の通りである。従来技術では、フルバンドアクセスは考慮されず、システム設計において一意の固定の動作周波数があると仮定され、１つのタイプのサブキャリア離間が、動作周波数、ハードウェア性能、およびチャネルシナリオに基づいて選択される。そのような方式では、周波数領域および時間領域における基準信号の密度は固定である。本発明のこの実施形態では、ダウンリンクスケジューリング処理について説明される。周波数領域および時間領域中の基準信号の密度は可変であり、周波数領域および時間領域中の基準信号の密度は、サブキャリア離間構成パラメータ情報または他の情報に基づいて判定され得、したがって、システムが、異なる周波数において動作し、異なるサブキャリア離間を使用するとき、基準信号の密度は、対応するチャネルのコヒーレンス帯域幅およびコヒーレンス時間に依然として一致し、それにより、通信システムのための受信要件および送信要件を満たすことができる。
【０１５７】
図６に示されているように、図６は、本発明の一実施形態によるリソースマッピング方法の別の実施形態の概略図である。ＬＴＥ通信におけるダウンリンクスケジュール処理、すなわち、送信端部が基地局であり、受信端部がＵＥであることが、ここでの説明のための一例として使用される。本方法は以下のステップを含む。
【０１５８】
６０１．基地局が、ユーザ機器のためにスケジュールされた時間周波数リソースを判定する。
【０１５９】
６０２．基地局がユーザ機器にダウンリンクスケジューリングシグナリングを送り、ダウンリンクスケジューリングシグナリングは、スケジュールされた時間周波数リソースを含む。
【０１６０】
６０３．基地局が、サブキャリア離間構成パラメータ情報、現在の動作周波数情報、現在サポートされる移動速度、およびスケジュールされた帯域幅情報のうちの少なくとも１つを取得する。
【０１６１】
６０４．基地局が、サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定する。
【０１６２】
本発明のこの実施形態では、ステップ６０１から６０４は、図５に示されている実施形態のステップ５０１から５０４と同じである。詳細について、ここで再び説明されない。
【０１６３】
６０５．基地局がユーザ機器に基準信号ロケーション構成情報を送る。
【０１６４】
本発明のこの実施形態では、このステップは、以下のようにステップｅおよびステップｆを含み得る。
【０１６５】
ｅ．基地局がユーザ機器に基準信号ロケーション構成情報を送る。
【０１６６】
本発明のこの実施形態では、基地局は、最初に基準信号ロケーション構成情報を判定し、次いで、ユーザ機器に基準信号ロケーション構成情報を送る。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【０１６７】
ｆ．ユーザ機器が基準信号ロケーション構成情報を受信する。
【０１６８】
本発明のこの実施形態では、ユーザ機器は基準信号ロケーション構成情報を受信する。基準信号ロケーション構成情報に関係する情報は、時間に関する基準信号の間隔および／または周波数に関する基準信号の間隔であり得る。さらに、時間間隔がサブフレームまたはタイムスロットの単位であり、周波数間隔がサブバンドの単位であるとき、関係する情報は、時間に関するＯＦＤＭシンボルの単位でのオフセット、および周波数領域におけるサブキャリアの単位でのオフセットをさらに含み得る。
【０１６９】
６０６．ユーザ機器が、基準信号ロケーション構成情報に基づいて、基準信号を受信するための時間周波数リソースロケーションを判定する。
【０１７０】
本発明のこの実施形態では、ユーザ機器は、基準信号ロケーション構成情報に基づいて、基準信号を受信するための時間周波数リソースロケーションを判定する。詳細な判定方法については、図５に示されている実施形態のステップ５０４中の式（１）から式（４）を参照されたい。詳細について、ここで再び説明されない。
【０１７１】
６０７．基地局がユーザ機器に基準信号を送る。
【０１７２】
本発明のこの実施形態では、このステップは、以下のようにステップｇおよびステップｈを含み得る。
【０１７３】
ｇ．基地局が、時間周波数リソースロケーションにおいてユーザ機器に基準信号を送る。
【０１７４】
本発明のこの実施形態では、基地局は、ＵＥのためにスケジュールされた時間周波数リソースの範囲内の判定された時間周波数リソースロケーションにおいて各ＵＥに基準信号を送り、スケジューリング範囲内の別のリソース上でデータを送る。基地局は、判定された時間周波数リソースロケーション（ｋ，ｌ）において基準信号をマッピングし、次いで基準信号を送り得るか、またはプリセットルールに従って判定された基準信号の密度に基づいて基準信号をマッピングし、次いで基準信号を送り得る。
【０１７５】
ｈ．ユーザ機器が、時間周波数リソースロケーションにおいて、基地局によって送られた基準信号を受信する。
【０１７６】
本発明のこの実施形態では、ユーザ機器は、基準信号を受信するための判定された時間周波数リソースロケーションにおいて、基地局によって送られた基準信号を受信し、スケジュールされた時間周波数リソースの範囲内の別のリソース上で送られたデータを受信する。
【０１７７】
６０８．ユーザ機器が、受信された基準信号に基づいてチャネル推定を実施する。
【０１７８】
本発明のこの実施形態では、ステップ６０８は、図５に示されている実施形態のステップ５０８と同じである。詳細について、ここで再び説明されない。
【０１７９】
本発明のこの実施形態は、半静的または動的な構成が実施される実施形態である。基地局は、ユーザ機器に基準信号構成情報を送る必要があり、ユーザ機器は、基準信号構成情報に基づいて、基準信号を受信するための時間周波数リソースロケーションを判定し、基地局は、基準信号を送るための時間周波数リソースロケーションが変化しないと判定する。
【０１８０】
上記で、本発明の実施形態におけるリソースマッピング方法について説明し、以下で、本発明の実施形態における送信端部および受信端部について説明する。図７に示されているように、図７は、本発明の一実施形態による送信端部の一実施形態の概略図である。送信端部は、
サブキャリア離間構成パラメータ情報、現在の動作周波数情報、現在サポートされる移動速度、およびスケジュールされた帯域幅情報のうちの少なくとも１つを取得するように構成された、取得モジュール７０１と、
サブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように構成された、判定モジュール７０２と、
時間周波数リソースロケーションにおいて基準信号をマッピングするように構成された、マッピングモジュール７０３と
を含み得る。
【０１８１】
任意選択で、本発明のいくつかの実施形態では、
判定モジュール７０２は、サブキャリア離間構成パラメータ情報、現在の動作周波数情報、現在サポートされる移動速度、およびスケジュールされた帯域幅情報のうちの少なくとも１つに基づいて、基準信号の間隔を判定し、基準信号の間隔に基づいて、基準信号をマッピングするための時間周波数リソースロケーションを判定するように特に構成される。
【０１８２】
任意選択で、本発明のいくつかの実施形態では、
判定モジュール７０２は、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号をマッピングするための時間周波数リソースロケーションを判定するように特に構成される。
【０１８３】
任意選択で、本発明のいくつかの実施形態では、基準信号をマッピングするための時間周波数リソースロケーションは（ｋ，ｌ）によって表され、ｋは基準信号のサブキャリア番号であり、ｌは基準信号の直交周波数分割多重化（ＯＦＤＭ）シンボル番号であり、
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋを判定するように特に構成され、ＯＦＤＭシンボル番号ｌは第１のプリセット値であるか、または
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のＯＦＤＭシンボル番号ｌを判定するように特に構成され、サブキャリア番号ｋは第２のプリセット値であるか、または
判定モジュール７０２は、サブキャリア離間構成パラメータ情報、現在の動作周波数情報、現在サポートされる移動速度、およびスケジュールされた帯域幅情報のうちの少なくとも１つに基づいて、マッピングされるべき基準信号のサブキャリア番号ｋおよびＯＦＤＭシンボル番号ｌを判定するように特に構成される。
【０１８４】
任意選択で、本発明のいくつかの実施形態では、前記送信端部は、
送信モジュールであって、送信端部が基地局を含む場合、受信端部に基準信号ロケーション構成情報を送るように構成される送信モジュールをさらに含むか、または
取得モジュール７０１は、送信端部がユーザ機器を含む場合、基準信号ロケーション構成情報を受信し、基準信号ロケーション構成情報に基づいて、基準信号をマッピングするための時間周波数リソースロケーションを判定するように構成される。
【０１８５】
図８に示されているように、図８は、本発明の一実施形態による受信端部の一実施形態の概略図である。受信端部は、
サブキャリア離間構成パラメータ情報、現在の動作周波数情報、現在サポートされる移動速度、およびスケジュールされた帯域幅情報のうちの少なくとも１つを取得するように構成された、取得モジュール８０１と、
サブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションを判定するように構成された、判定モジュール８０２と、
時間周波数リソースロケーションにおいて、送信端部によって送られた基準信号を受信するように構成された、受信モジュール８０３と
を含み得る。
【０１８６】
任意選択で、本発明のいくつかの実施形態では、
判定モジュール８０２は、サブキャリア離間構成パラメータ情報、現在の動作周波数情報、現在サポートされる移動速度、およびスケジュールされた帯域幅情報のうちの少なくとも１つに基づいて、基準信号の間隔を判定し、基準信号の間隔に基づいて、基準信号を受信するための時間周波数リソースロケーションを判定するように特に構成される。
【０１８７】
任意選択で、本発明のいくつかの実施形態では、
判定モジュール８０２は、プリセットルールに従って、ならびにサブキャリア離間構成パラメータ情報、現在の動作周波数情報、現在サポートされる移動速度、およびスケジュールされた帯域幅情報のうちの少なくとも１つに基づいて、基準信号を受信するための時間周波数リソースロケーションをするように特に構成される。
【０１８８】
任意選択で、本発明のいくつかの実施形態では、基準信号を受信するための時間周波数リソースロケーションは（ｋ，ｌ）によって表され、ｋは基準信号のサブキャリア番号であり、ｌは基準信号のＯＦＤＭシンボル番号であり、
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋを判定するように特に構成され、ＯＦＤＭシンボル番号ｌは第１のプリセット値であるか、または
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のＯＦＤＭシンボル番号ｌを判定するように特に構成され、サブキャリア番号ｋは第２のプリセット値であるか、または
判定モジュール８０２は、サブキャリア離間構成パラメータ情報、現在の動作周波数情報、現在サポートされる移動速度、およびスケジュールされた帯域幅情報のうちの少なくとも１つに基づいて、受信されるべき基準信号のサブキャリア番号ｋおよびＯＦＤＭシンボル番号ｌを判定するように特に構成される。
【０１８９】
任意選択で、本発明のいくつかの実施形態では、受信端部は、
送信モジュールであって、受信端部が基地局を含む場合、送信端部に基準信号ロケーション構成情報を送るように構成された、送信モジュール８０３をさらに含み、基準信号ロケーション構成情報は、基準信号をマッピングするための時間周波数リソースロケーションを判定するために送信端部によって使用されるか、または
取得モジュール８０１は、受信端部がユーザ機器を含む場合、送信端部によって送られた基準信号ロケーション構成情報を受信し、基準信号ロケーション構成情報に基づいて、基準信号を受信するための時間周波数リソースロケーションを判定するように構成される。
【０１９０】
図９に示されているように、図９は、本発明の一実施形態による基地局の一実施形態の概略図である。
【０１９１】
基地局は、構成または性能差によって大幅に異なることがあり、トランシーバ９０１、少なくとも１つの中央処理ユニット（ｃｅｎｔｒａｌ  ｐｒｏｃｅｓｓｉｎｇ  ｕｎｉｔ、ＣＰＵ）９０２（たとえば、少なくとも１つのプロセッサ）、メモリ９０３、およびアプリケーションプログラム９０４１またはデータ９０４２を記憶する少なくとも１つの記憶媒体９０４（たとえば、少なくとも１つの大容量記憶デバイス）を含み得る。メモリ９０３および記憶媒体９０４は一時記憶装置または永久記憶装置であり得る。記憶媒体９０４に記憶されたプログラムは、（図９に示されていない）少なくとも１つのモジュールを含むことがあり、各モジュールは一連の命令演算を含み得る。さらに、中央処理ユニット９０２は、記憶媒体９０４と通信し、基地局上で、記憶媒体９０４中の一連の命令演算を実行するように設定され得る。
【０１９２】
本発明のこの実施形態では、トランシーバ９０１は、図３のステップ３０２、図４のステップ４０２および４０５、図５のステップ５０２および５０７、ならびに図６のステップ６０２、６０５、および６０７を実施するように構成される。
【０１９３】
中央処理ユニット９０２は、図３のステップ３０１、３０５、３０６、および３０８、図４のステップ４０１、４０３、４０４、および４０８、図５のステップ５０１、５０３、および５０４、ならびに図６のステップ６０１、６０３、および６０４を実施するように構成される。
【０１９４】
図１０に示されているように、図１０は、本発明の一実施形態によるユーザ機器の一実施形態の概略図である。
【０１９５】
ユーザ機器は、モバイルフォン、タブレットコンピュータ、ＰＤＡ（ｐｅｒｓｏｎａｌ  ｄｉｇｉｔａｌ  ａｓｓｉｓｔａｎｔ、携帯情報端末）、ＰＯＳ（ｐｏｉｎｔ  ｏｆ  ｓａｌｅ、ポイントオブセール）、車載コンピュータなどを含む任意の端末デバイスであり得る。たとえば、ユーザ機器はモバイルフォンである。
【０１９６】
図１０は、本発明の一実施形態による端末に関係するモバイルフォンの部分構造のブロック図である。図１０を参照すると、モバイルフォンは、無線周波数（ｒａｄｉｏ  ｆｒｅｑｕｅｎｃｙ、ＲＦ）回路１０１０、メモリ１０２０、入力ユニット１０３０、ディスプレイユニット１０４０、センサー１０５０、オーディオ周波数回路１０６０、ワイヤレスフィデリティ（ｗｉｒｅｌｅｓｓ  ｆｉｄｅｌｉｔｙ、ＷｉＦｉ）モジュール１０７０、プロセッサ１０８０、電源１０９０などの構成要素を含む。図１０に示されているモバイルフォン構造は、モバイルフォンに対していかなる限定ともならず、モバイルフォンは、図に示されているものよりも多いかもしくは少ない構成要素、またはいくつかの構成要素の組合せ、または別様に配設された構成要素を含み得ることを当業者は理解されよう。
【０１９７】
以下で、図１０を参照しながらモバイルフォンの構成部分について詳細に説明する。
【０１９８】
ＲＦ回路１０１０は、情報受信および送信処理または呼処理において信号を受信および送信するように構成され、特に、基地局のダウンリンク情報を受信した後に、プロセッサ１０８０に処理のためにダウンリンク情報を送り、基地局にアップリンクデータを送るように構成され得る。通常、ＲＦ回路１０１０は、限定はされないが、アンテナ、少なくとも１つの増幅器、トランシーバ、カプラ、低雑音増幅器（ｌｏｗ  ｎｏｉｓｅ  ａｍｐｌｉｆｉｅｒ、ＬＮＡ）、およびデュプレクサを含む。加えて、ＲＦ回路１０１０はまた、ワイヤレス通信を通してネットワークおよび他のデバイスと通信し得る。限定はされないが、モバイル通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、ロングタームエボリューション（Ｌｏｎｇ  Ｔｅｒｍ  Ｅｖｏｌｕｔｉｏｎ、ＬＴＥ）、電子メール、およびショートメッセージサービス（Ｓｈｏｒｔ  Ｍｅｓｓａｇｅ  Ｓｅｒｖｉｃｅ、ＳＭＳ）を含む、どんな通信規格またはプロトコルでもワイヤレス通信のために使用され得る。
【０１９９】
メモリ１０２０は、ソフトウェアプログラムおよびモジュールを記憶するように構成され得る。プロセッサ１０８０は、メモリ１０２０に記憶されているソフトウェアプログラムおよびモジュールを実行することによってモバイルフォンの様々なアプリケーション機能およびデータ処理を実施する。メモリ１０２０は、プログラム記憶領域およびデータ記憶領域を主に含み得る。プログラム記憶領域は、オペレーティングシステム、（音声再生機能および画像再生機能などの）少なくとも１つの機能によって必要とされるアプリケーションプログラムなどを記憶し得る。データ記憶領域は、モバイルフォンの使用に基づいて作成された（オーディオデータおよび電話帳などの）データなどを記憶し得る。加えて、メモリ１０２０は、高速ランダムアクセスメモリを含むことがあり、少なくとも１つの磁気ディスク記憶デバイス、フラッシュメモリデバイス、または別の揮発性ソリッドステート記憶デバイスなどの不揮発性メモリをさらに含み得る。
【０２００】
入力ユニット１０３０は、入力デジタルまたは文字情報を受信し、モバイルフォンのユーザ設定および機能制御に関係するキー信号入力を生成するように構成され得る。特に、入力ユニット１０３０は、タッチパネル１０３１および他の入力デバイス１０３２を含み得る。タッチスクリーンとも呼ばれるタッチパネル１０３１は、タッチパネル１０３１上でまたはその近くでユーザによって実施されるタッチ操作（たとえば、指またはスタイラスなど、任意の適切なオブジェクトまたはアクセサリーを使用することによってタッチパネル１０３１上でまたはタッチパネル１０３１の近くでユーザによって実施される操作）を収集し、プリセットプログラムに従って対応する接続装置を駆動し得る。任意選択で、タッチパネル１０３１は、タッチ検出装置およびタッチコントローラという２つの部分を含み得る。タッチ検出装置は、ユーザのタッチロケーションを検出し、タッチ操作によって生成された信号を検出し、信号をタッチコントローラに送信する。タッチコントローラは、タッチ検出装置からタッチ情報を受信し、タッチ情報をコンタクト座標に変換し、コンタクト座標をプロセッサ１０８０に送り、また、プロセッサ１０８０によって送られたコマンドを受信し実行することが可能である。加えて、タッチパネル１０３１は、抵抗性タイプ、容量性タイプ、赤外線タイプ、および表面弾性波タイプなど、複数のタイプを使用することによって実装され得る。タッチパネル１０３１に加えて、入力ユニット１０３０は他の入力デバイス１０３２を含み得る。特に、他の入力デバイス１０３２は、限定はされないが、物理キーボード、（ボリューム制御キーまたはオン／オフキーなどの）機能キー、トラックボール、マウス、およびジョイスティックのうちの１つまたは複数を含み得る。
【０２０１】
ディスプレイユニット１０４０は、ユーザによって入力された情報、ユーザに提供される情報、およびモバイルフォンの様々なメニューを表示するように構成され得る。ディスプレイユニット１０４０はディスプレイパネル１０４１を含み得る。任意選択で、ディスプレイパネル１０４１は、液晶ディスプレイ（ｌｉｑｕｉｄ  ｃｒｙｓｔａｌ  ｄｉｓｐｌａｙ、ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）などの形態で構成され得る。さらに、タッチパネル１０３１はディスプレイパネル１０４１をカバーし得る。タッチパネル１０３１上のまたはそれの近くのタッチ操作を検出した後に、タッチパネル１０３１は、タッチイベントタイプを判定するためにタッチ操作に関する情報をプロセッサ１０８０に送信し、次いで、プロセッサ１０８０は、タッチイベントタイプに基づいてディスプレイパネル１０４１上に対応する視覚的出力を提供する。図１０では、タッチパネル１０３１およびディスプレイパネル１０４１は、モバイルフォンの入力および出力機能を実装するための２つの独立した構成要素として使用される。しかしながら、いくつかの実施形態では、タッチパネル１０３１およびディスプレイパネル１０４１は、モバイルフォンの入力および出力機能を実装するために一体化され得る。
【０２０２】
モバイルフォンは、光センサー、動きセンサー、または別のセンサーなど、少なくとも１つのセンサー１０５０をさらに含み得る。特に、光センサーは、周辺光センサーおよび近接センサーを含み得る。周辺光センサーは、周辺光の輝度に基づいてディスプレイパネル１０４１のルミナンスを調整し得る。近接センサーは、モバイルフォンが耳に近づいたとき、ディスプレイパネル１０４１および／またはバックライトをオフにし得る。動きセンサーの種類として、加速度計センサーは、様々な方向において（通常、３つの軸がある）加速度の値を検出し得、静的状態で重力の値および方向を検出し得、モバイルフォンのポスチャーを識別するアプリケーション（たとえば、横長モードとポートレートモードとの間のスクリーン切替え、関係するゲーム、および磁力計ポスチャー較正）、振動識別関係の機能（たとえば、歩数計およびタッピング）などのために使用され得る。ジャイロスコープ、気圧計、湿度計、温度計、および赤外線センサーなど、モバイルフォン上に構成され得る他のセンサーについてはここで説明されない。
【０２０３】
オーディオ周波数回路１０６０、ラウドスピーカー１０６１、およびマイクロフォン１０６２は、ユーザとモバイルフォンとの間のオーディオインターフェースを提供し得る。オーディオ周波数回路１０６０は、受信されたオーディオデータの変換の後に取得された電気信号をラウドスピーカー１０６１に送信することがあり、ラウドスピーカー１０６１は、電気信号を音信号に変換し、音信号を出力する。加えて、マイクロフォン１０６２は、収集された音信号を電気信号に変換し、オーディオ周波数回路１０６０は、電気信号を受信し、電気信号をオーディオデータに変換し、オーディオデータを処理のためにプロセッサ１０８０に出力し、次いで、処理されたオーディオデータは、たとえば、ＲＦ回路１０１０を使用することによって別のモバイルフォンに送られるか、またはオーディオデータはさらなる処理のためにメモリ１０２０に出力される。
【０２０４】
ＷｉＦｉは短距離ワイヤレス送信技術である。ＷｉＦｉモジュール１０７０を使用することによって、モバイルフォンは、ユーザが電子メールを送信および受信し、ウェブページをブラウジングし、ストリーミングメディアにアクセスすることなどを助け得る。ＷｉＦｉモジュール１０７０は、ユーザにワイヤレスブロードバンドインターネットアクセスを提供する。図１０はＷｉＦｉモジュール１０７０を示しているが、ＷｉＦｉモジュール１０７０はモバイルフォンの必須構成要素ではなく、本発明の本質範囲を変更することなく要件に応じて完全に省略され得ることが理解されよう。
【０２０５】
プロセッサ１０８０は、モバイルフォンの制御センターであり、様々なインターフェースおよびラインを使用することによってモバイルフォン全体のすべての部分に接続され、メモリ１０２０に記憶されたソフトウェアプログラムおよび／またはモジュールを走らせるかまたは実行することによってならびにメモリ１０２０に記憶されたデータを呼び出すことによって、モバイルフォンの様々な機能を実行しデータを処理して、モバイルフォン上で全体的な監視を実施する。任意選択で、プロセッサ１０８０は１つまたは複数の処理ユニットを含み得る。好ましくは、アプリケーションプロセッサおよびモデムプロセッサがプロセッサ１０８０に組み込まれ得る。アプリケーションプロセッサは、オペレーティングシステム、ユーザインターフェース、アプリケーションプログラムなどを主に処理し、モデムプロセッサは、ワイヤレス通信を主に処理する。モデムプロセッサは、代替として、プロセッサ１０８０に組み込まれないことがあることが理解されよう。
【０２０６】
モバイルフォンは、すべての構成要素に電力を供給する電源１０９０（たとえば、バッテリー）をさらに含む。好ましくは、電源は、電力管理システムを使用することによってプロセッサ１０８０に論理的に接続されることがあり、それによって、充電および放電管理ならびに電力消費管理などの機能が、電力管理システムを使用することによって実装される。
【０２０７】
図示されていないが、モバイルフォンは、カメラ、Ｂｌｕｅｔｏｏｔｈモジュールなどをさらに含み得る。詳細についてここで説明されない。
【０２０８】
本発明のこの実施形態では、ユーザ機器中に含まれるプロセッサ１０８０は、
図３のステップ３０３および３０４を実施すること、図４のステップ４０６を実施すること、図５のステップ５０５、５０６、および５０８を実施すること、ならびに図６のステップ６０６および６０８を実施すること
の機能をさらに有する。
【０２０９】
ユーザ機器中に含まれる無線周波数回路１０１０は、
図３のステップ３０７を実施することおよび図４のステップ４０７を実施すること
の機能をさらに有する。
【０２１０】
本発明の一実施形態は、記憶媒体をさらに提供する。本質的に本発明の技術的解決策、または従来技術に寄与する部分、または技術的解決策の全部もしくは一部は、ソフトウェア製品の形態で実装され得ることに留意されたい。コンピュータソフトウェア製品は記憶媒体に記憶される。記憶媒体は、上記のデバイスによる使用のためのコンピュータソフトウェア命令を記憶するように構成される。コンピュータソフトウェア製品は、第１の態様または第２の態様におけるデバイスのために設計されたプログラムを含む。記憶媒体は、ＵＳＢフラッシュドライブ、リムーバブルハードディスク、読取り専用メモリ（ＲＯＭ、ｒｅａｄ−ｏｎｌｙ  ｍｅｍｏｒｙ）、ランダムアクセスメモリ（ＲＡＭ、ｒａｎｄｏｍ  ａｃｃｅｓｓ  ｍｅｍｏｒｙ）、磁気ディスク、または光ディスクなど、プログラムコードを記憶することができる任意の媒体を含む。
【０２１１】
本発明の明細書、特許請求の範囲、および添付の図面では、「第１の（ｆｉｒｓｔ）」、「第２の（ｓｅｃｏｎｄ）」、「第３の（ｔｈｉｒｄ）」、「第４の（ｆｏｕｒｔｈ）」などの用語（存在する場合）は、同様の物体を区別するよう意図されているが、必ずしも特定の順序またはシーケンスを示さない。そのような方法で名付けられたデータは、本明細書において説明される本発明の実施形態が本明細書において例示または説明される順序以外の順序で実装され得るように、適切な状況では交換可能であることを理解されたい。その上、「含む（ｉｎｃｌｕｄｅ）」、「含んでいる（ｃｏｎｔａｉｎ）」および任意の他の変形の用語は、非排他的包含を網羅することを意味し、たとえば、ステップまたはユニットのリストを含む処理、方法、システム、製品、またはデバイスは、必ずしも明確にリストされたそれらのステップまたはユニットに限定されず、そのような処理、方法、製品、またはデバイスについて明確にリストされないかまたは固有でない他のステップまたはユニットを含み得る。
【国際調査報告】
2020502839.tif 000015
2020502839.tif 000016
2020502839.tif 000017
2020502839.tif 000018